(57)【要約】  ワイヤレス媒体の再利用を管理するための方法および装置が提供される。ワイヤレス媒体の再利用を管理する方法は、基本サービスセット（ＢＳＳ）における１つまたは複数の局によるワイヤレス媒体の再利用を許可するかどうかを、アクセスポイントにおいて、決定することを含む。方法は、ワイヤレス媒体の再利用が基準を満たす局に対して許可されることができることのインジケーションを、再利用を許可することの決定時に、送信することをさらに含む。方法は、１つまたは複数の再利用パラメータを決定することをさらに含む。方法は、１つまたは複数の再利用パラメータを送信することをさらに含む。【選択図】図１
2018527840.tif 000002
【特許請求の範囲】
【請求項１】
ワイヤレス媒体の再利用を管理する方法であって、
基本サービスセット（ＢＳＳ）における１つまたは複数の局による前記ワイヤレス媒体の再利用を許可するかどうかを、アクセスポイントにおいて、決定することと、
前記ワイヤレス媒体の再利用が基準を満たす局に対して許可されることのインジケーションを、再利用を許可することの決定時に、送信することと、
１つまたは複数の再利用パラメータを決定することと、
前記１つまたは複数の再利用パラメータを送信することと、を備える、方法。
【請求項２】
前記１つまたは複数の再利用パラメータは、局によって異なる複数の再利用パラメータを備える、請求項１に記載の方法。
【請求項３】
次のコンディション、
局が、第１のしきい値未満の受信信号強度インジケーション（ＲＳＳＩ）を有する送信デバイスから重複ＢＳＳ（ＯＢＳＳ）送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスおよび／または対象となる受信デバイスが１つまたは複数のプリアンブルパラメータの関数である動的しきい値未満のＲＳＳＩを有する場合に、前記ワイヤレス媒体を再利用することを許可される；
のうちの１つまたは複数を、単独でまたは組み合わせて、備える再利用モードを選択することと、
前記選択された再利用モードのインジケーションを送信することと、をさらに備える、請求項１に記載の方法。
【請求項４】
前記第１のしきい値と前記第２のしきい値とは同じである、請求項３に記載の方法。
【請求項５】
前記動的しきい値は、対象となる受信機の、および／または前記送信デバイスの送信パワーの関数である、請求項３に記載の方法。
【請求項６】
前記１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワーと、
１つまたは複数のパラメータの関数としてノードにおいて耐えられる干渉の量のインジケーションと、を含む、請求項１に記載の方法。
【請求項７】
前記ワイヤレス媒体の再利用を許可するかどうかを決定することは、前記１つまたは複数の局のＢＳＳ間隔、および／または、アクセスポイントのＢＳＳ間隔に基づく、請求項１に記載の方法。
【請求項８】
前記ワイヤレス媒体の再利用を許可することを決定することと、エンハンスド送信要求送信、および／または、エンハンスド送信可送信を使用することと、をさらに備える、請求項１に記載の方法。
【請求項９】
前記基準は、
前記ＢＳＳにおけるすべての局が前記ワイヤレス媒体を再利用することを許可されること、または、
前記ＢＳＳにおける局のサブセットが前記ワイヤレス媒体を再利用することを許可されること、を規定し、ここにおいて局の前記サブセットは、前記１つまたは複数の局の各々の前記ＢＳＳ間隔に基づく、請求項７に記載の方法。
【請求項１０】
前記アクセスポイントは、複数のＢＳＳ識別子を有し、前記方法は、
前記１つまたは複数の局が従うべき１つまたは複数のＢＳＳ識別子をシグナリングすること、または、
同じ色を共有するためにすべての前記ＢＳＳ識別子を選択すること、をさらに備える、請求項１に記載の方法。
【請求項１１】
ワイヤレス媒体の再利用を管理するように構成された装置であって、
プロセッサを備え、前記プロセッサは、
基本サービスセット（ＢＳＳ）における１つまたは複数の局による前記ワイヤレス媒体の再利用を許可するかどうかを決定することと、
１つまたは複数の再利用パラメータを決定することと、
前記ワイヤレス媒体の再利用が基準を満たす局に対して許可されることのインジケーションを、再利用を許可することの決定時に、送信機を介して、送信することと、
前記１つまたは複数の再利用パラメータを、前記送信機を介して、送信することと、を行うように構成される、装置。
【請求項１２】
前記プロセッサは、
次のコンディション、
局が、第１のしきい値未満の受信信号強度インジケーション（ＲＳＳＩ）を有する送信デバイスから重複ＢＳＳ（ＯＢＳＳ）送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスおよび／または対象となる受信デバイスが１つまたは複数のプリアンブルパラメータの関数である動的しきい値未満のＲＳＳＩを有する場合に、前記ワイヤレス媒体を再利用することを許可される；
のうちの１つまたは複数を、単独でまたは組み合わせて、備える再利用モードを選択することと、
前記選択された再利用モードのインジケーションを、前記送信機を介して、送信することと、を行うようにさらに構成される、請求項１１に記載の装置。
【請求項１３】
前記第１のしきい値と前記第２のしきい値とは同じであり、前記動的しきい値は、対象となる受信機の、および／または前記送信デバイスの送信パワーの関数である、請求項１２に記載の装置。
【請求項１４】
前記１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワーと、
１つまたは複数のパラメータの関数としてノードにおいて耐えられる干渉の量のインジケーションと、を含む、請求項１１に記載の装置。
【請求項１５】
前記プロセッサは、前記１つまたは複数の局のＢＳＳ間隔、および／または、アクセスポイントのＢＳＳ間隔に基づいて前記ワイヤレス媒体の再利用を許可するかどうかを決定するように構成される、請求項１１に記載の装置。
【請求項１６】
前記プロセッサは、前記ワイヤレス媒体の再利用を許可することを決定することと、エンハンスド送信要求送信、および／または、エンハンスド送信可送信を使用することと、を行うようにさらに構成される、請求項１１に記載の装置。
【請求項１７】
前記基準は、
前記ＢＳＳにおけるすべての局が前記ワイヤレス媒体を再利用することを許可されること、または、
前記ＢＳＳにおける局のサブセットが前記ワイヤレス媒体を再利用することを許可されること、
を規定し、ここにおいて局の前記サブセットは、前記１つまたは複数の局の各局の前記ＢＳＳ間隔に基づく、請求項１５に記載の装置。
【請求項１８】
前記装置は、複数のＢＳＳ識別子を有するアクセスポイントを備え、前記プロセッサは、
前記１つまたは複数の局が従うべき１つまたは複数のＢＳＳ識別子をシグナリングすること、または、
同じ色を共有するためにすべての前記ＢＳＳ識別子を選択すること、を行うようにさらに構成される、請求項１１に記載の装置。
【請求項１９】
ワイヤレス媒体を再利用することの方法であって、
重複基本サービスセット（ＯＢＳＳ）送信を、局において、検出することと、
前記ワイヤレス媒体を再利用するかどうかを決定することと、
１つまたは複数の再利用パラメータを決定することと、
前記１つまたは複数の再利用パラメータおよび前記ワイヤレス媒体を再利用するかどうかを前記決定することに基づいてメッセージを選択的に送信することと、を備える、方法。
【請求項２０】
次のコンディション、
局が、第１のしきい値未満の受信信号強度インジケーション（ＲＳＳＩ）を有する送信デバイスから前記ＯＢＳＳ送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスが１つまたは複数のプリアンブルパラメータの関数である動的しきい値未満のＲＳＳＩを有する場合に、前記ワイヤレス媒体を再利用することを許可される；
のうちの１つまたは複数を、単独でまたは組み合わせて、備える再利用モードを選択することと、
前記選択された再利用モードを適用することと、をさらに備える、請求項１９に記載の方法。
【請求項２１】
前記１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワー、および、
１つまたは複数のパラメータの関数としてノードにおいて耐えられる干渉の量のインジケーション、を含む、請求項１９に記載の方法。
【請求項２２】
前記ワイヤレス媒体を再利用するかどうかを決定することは、
前記局のＢＳＳ間隔および／またはアクセスポイントのＢＳＳ間隔に基づく、請求項１９に記載の方法。
【請求項２３】
前記ワイヤレス媒体を再利用することを決定することと、エンハンスド送信要求送信、および／または、エンハンスド送信可送信を使用することと、をさらに備える、請求項１９に記載の方法。
【請求項２４】
前記ワイヤレス媒体の再利用が基準を満たす局に対して許可されることのインジケーションを受信することをさらに備え、ここにおいて、
前記基準は、基本サービスセット（ＢＳＳ）におけるすべての局が前記ワイヤレス媒体を再利用することを許可されることを規定する、
局のサブセットは、各局のＢＳＳ間隔および／またはアクセスポイントのＢＳＳ間隔に基づく、および、
前記１つまたは複数のパラメータは、前記ＯＢＳＳ送信において規定される、請求項１９に記載の方法。
【請求項２５】
ワイヤレス媒体を再利用するように構成された装置であって、
プロセッサを備え、前記プロセッサは、
重複基本サービスセット（ＯＢＳＳ）送信を検出することと、
前記ワイヤレス媒体を再利用するかどうかを決定することと、
１つまたは複数の再利用パラメータを決定することと、
前記１つまたは複数の再利用パラメータおよび前記ワイヤレス媒体を再利用するかどうかを前記決定することに基づいてメッセージを、送信機を介して、選択的に送信することと、を行うように構成される、装置。
【請求項２６】
前記プロセッサは、
次のコンディション、
局が、第１のしきい値未満の受信信号強度インジケーション（ＲＳＳＩ）を有する送信デバイスから前記ＯＢＳＳ送信を検出する場合に、前記ワイヤレス媒体を再利用することを許可される；
局が、前記ＯＢＳＳ送信の宛先デバイスが第２のしきい値未満のＲＳＳＩを有する場合に、前記ワイヤレス媒体を再利用することを許可される；
局が、前記送信デバイスが１つまたは複数のプリアンブルパラメータの関数である動的しきい値未満のＲＳＳＩを有する場合に、前記ワイヤレス媒体を再利用することを許可される；
のうちの１つまたは複数を、単独でまたは組み合わせて、備える再利用モードを選択することと、
前記選択された再利用モードを適用することと、を行うようにさらに構成される、請求項２５に記載の装置。
【請求項２７】
前記１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のパラメータに基づくＲＳＳＩしきい値関数、のうちの１つまたは複数を備える、前記１つまたは複数のパラメータは、
受信されたパケットのプリアンブルに含まれる他のパラメータまたは送信パワー、および、
１つまたは複数のパラメータの関数としてノードにおいて耐えられる干渉の量のインジケーション、を含む、請求項２５に記載の装置。
【請求項２８】
前記プロセッサは、各局のＢＳＳ間隔、および／または、アクセスポイントのＢＳＳ間隔に基づいて前記ワイヤレス媒体を再利用するかどうかを決定するように構成される、請求項２５に記載の装置。
【請求項２９】
前記プロセッサは、前記ワイヤレス媒体を再利用することを決定することと、エンハンスド送信要求送信、および／または、エンハンスド送信可送信を使用することと、を行うようにさらに構成される、請求項２５に記載の装置。
【請求項３０】
前記プロセッサは、前記ワイヤレス媒体の再利用が基準を満たす局に対して許可されることのインジケーションを、受信機を介して、受信するようにさらに構成され、ここにおいて、
前記基準は、基本サービスセット（ＢＳＳ）におけるすべての局が前記ワイヤレス媒体を再利用することを許可されることを規定する、
局のサブセットは、各局のＢＳＳ間隔および／またはアクセスポイントのＢＳＳ間隔に基づく、
前記１つまたは複数のパラメータは、前記ＯＢＳＳ送信において規定される、請求項２５に記載の装置。
【発明の詳細な説明】
【技術分野】
【０００１】
[0001]  本開示の特定の態様は、一般に、ワイヤレス通信に関し、より具体的には、近隣の通信ネットワークにおいてワイヤレス通信リソースを再利用するための方法および装置に関する。
【背景技術】
【０００２】
[0002]  多くのテレコミュニケーションシステムでは、通信ネットワークが、いくつかの相互作用する空間的に離間されたデバイス間でメッセージを交換するために使用される。ネットワークは、地理的範囲に応じて分類されることができ、それは、例えば、メトロポリタンエリア、ローカルエリア、またはパーソナルエリアであることができる。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）としてそれぞれ指定されることができる。ネットワークはまた、さまざまなネットワークノードおよびデバイスを相互接続するために使用される交換／ルーティング技術（例えば、回線交換対パケット交換）、送信のために用いられる物理媒体のタイプ（例えば、有線対無線）、および使用される通信プロトコルのセット（例えば、インターネットプロトコルスイート、ＳＯＮＥＴ（同期型光ネットワーキング）、イーサネット（登録商標）など）によって異なる。
【０００３】
[0003]  ワイヤレスネットワークは、しばしば、ネットワーク要素がモバイルであり、したがって、動的接続性のニーズを有するとき、またはネットワークアーキテクチャが、固定式ではなく、アドホックのトポロジにおいて形成される場合に好まれる。ワイヤレスネットワークは、無線、マイクロ波、赤外線、光（optical）などの周波数帯域における電磁波を使用して、無誘導伝搬モード（unguided propagation mode）における無形物理媒体を用いる。ワイヤレスネットワークは、固定の有線ネットワークと比較される場合、迅速なフィールド展開およびユーザの移動性を有利に促進する。
【０００４】
[0004]  ワイヤレスネットワークにおけるデバイスは、互いの間で情報を送信／受信することができる。デバイス送信は、互いに干渉することがあり、特定の送信は、他の送信を選択的にブロックすることがある。多くのデバイスが通信ネットワークを共有する場合、輻輳および非効率的なリンクの使用が生じることがある。そのため、ワイヤレスネットワークにおける通信効率を改善するためのシステム、方法および非一時的コンピュータ可読媒体が必要である。
【発明の概要】
【０００５】
[0005]  添付の特許請求の範囲内のシステム、方法、およびデバイスのさまざまなインプリメンテーションは、各々いくつかの態様を有し、これらのうちのただ１つも、単独で本書に説明される望ましい属性（attributes）を担うものではない。添付の特許請求の範囲を限定することなく、いくつかの顕著な特徴が本書に説明される。
【０００６】
[0006]  本書に説明される主題の１つまたは複数のインプリメンテーションの詳細が、添付図面および以下の説明に記述されている。他の特徴、態様、および有利な点は、明細書、図面、および特許請求の範囲から明らかであろう。下記の図面の相対寸法は、縮尺の通りではないことに、留意されたい。
【０００７】
[0007]  本開示の一態様は、ワイヤレス媒体の再利用を管理することの方法を提供する。方法は、基本サービスセット（ＢＳＳ）における１つまたは複数の局によるワイヤレス媒体の再利用を許可するかどうかを、アクセスポイントにおいて、決定することを含む。方法は、ワイヤレス媒体の再利用が基準を満たす局に対して許可されることができることのインジケーションを、再利用を許可することの決定時に、送信することをさらに含む。方法は、１つまたは複数の再利用パラメータを決定することをさらに含む。方法は、１つまたは複数の再利用パラメータを送信することをさらに含む。
【０００８】
[0008]  さまざまな実施形態において、１つまたは複数の再利用パラメータは、局によって異なる複数の再利用パラメータを含むことができる。
【０００９】
[0009]  さまざまな実施形態において、方法は、次のコンディション；局が、第１のしきい値未満の受信信号強度インジケーション（ＲＳＳＩ）を有することができる送信デバイスから重複ＢＳＳ（ＯＢＳＳ）送信を検出する場合にワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスおよび／または対象となる受信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択することをさらに含むことができる。方法は、選択された再利用モードのインジケーションを送信することをさらに含むことができる。
【００１０】
[0010]  さまざまな実施形態において、第１のしきい値と第２のしきい値とは同じであることができる。さまざまな実施形態において、動的しきい値は、対象となる受信機の、および／または送信デバイスの送信パワーの関数であることができる。さまざまな実施形態において、１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。
【００１１】
[0011]  さまざまな実施形態において、ワイヤレス媒体の再利用を許可するかどうかを決定することは、１つまたは複数の局のＢＳＳ間隔、および／または、アクセスポイントのＢＳＳ間隔に基づくことができる。さまざまな実施形態において、方法は、ワイヤレス媒体の再利用を許可することを決定することと、エンハンスド送信要求送信、および／または、エンハンスド送信可送信を使用することと、をさらに含むことができる。さまざまな実施形態において、基準は、ＢＳＳにおけるすべての局がワイヤレス媒体を再利用することを許可されることができることを規定することができる。
【００１２】
[0012]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、アクセスポイントは、複数のＢＳＳ識別子を有することができ、方法は、１つまたは複数の局が従うべき１つまたは複数の色をシグナリングすること、または、近隣のアクセスポイントと同じ色を選択すること、をさらに備える。
【００１３】
[0013]  さまざまな実施形態において、１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のパラメータに基づくＲＳＳＩしきい値関数、１つまたは複数のパラメータは、受信されたパケットのプリアンブルに含まれる他のパラメータまたは送信パワーを含む、および、１つまたは複数のパラメータの関数としてノードにおいて耐えられる干渉の量のインジケーション、のうちの１つまたは複数を備える。
【００１４】
[0014]  さまざまな実施形態において、ワイヤレス媒体の再利用を許可するかどうかを決定することは、１つまたは複数の局のＢＳＳ間隔、および／または、アクセスポイントのＢＳＳ間隔に基づく。さまざまな実施形態において、基準は、ＢＳＳにおけるすべての局がワイヤレス媒体を再利用することを許可されること、または、ＢＳＳにおける局のサブセットがワイヤレス媒体を再利用することを許可されること、を規定し、ここにおいて局のサブセットは、１つまたは複数の局の各々のＢＳＳ間隔に基づく。さまざまな実施形態において、アクセスポイントは、複数のＢＳＳ識別子を有し、方法は、１つまたは複数の局が従うべき１つまたは複数のＢＳＳ識別子をシグナリングすること、または、同じ色を共有するためにすべてのＢＳＳ識別子を選択することと、をさらに備える。
【００１５】
[0015]  別の態様は、ワイヤレス媒体の再利用を管理するように構成されている装置を提供する。装置は、基本サービスセット（ＢＳＳ）における１つまたは複数の局によるワイヤレス媒体の再利用を許可するかどうかを決定するように構成されたプロセッサを含む。プロセッサは、１つまたは複数の再利用パラメータを決定するようにさらに構成される。装置は、ワイヤレス媒体の再利用が基準を満たす局に対して許可されることができることのインジケーションを、再利用を許可することの決定時に、送信するように構成された送信機をさらに含む。送信機は、１つまたは複数の再利用パラメータを送信するようにさらに構成される。
【００１６】
[0016]  いくつかの実施形態において、１つまたは複数の再利用パラメータは、局によって異なる複数の再利用パラメータを含むことができる。
【００１７】
[0017]  いくつかの実施形態において、プロセッサは、次のコンディション；局が、第１のしきい値未満の受信信号強度インジケーション（ＲＳＳＩ）を有することができる送信デバイスから重複ＢＳＳ（ＯＢＳＳ）送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスおよび／または対象となる受信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択するようにさらに構成されることができる。送信機は、選択された再利用モードのインジケーションを送信するようにさらに構成されることができる。
【００１８】
[0018]  さまざまな実施形態において、第１のしきい値と第２のしきい値とは同じであることができる。さまざまな実施形態において、動的しきい値は、対象となる受信機の、および／または送信デバイスの送信パワーの関数であることができる。さまざまな実施形態において、１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。
【００１９】
[0019]  さまざまな実施形態において、プロセッサは、１つまたは複数の局のＢＳＳ間隔、および／または、アクセスポイントのＢＳＳ間隔に基づいて、ワイヤレス媒体の再利用を許可するかどうかを決定するように構成されることができる。さまざまな実施形態において、プロセッサは、ワイヤレス媒体の再利用を許可することを決定することと、エンハンスド送信要求送信、および／または、エンハンスド送信可送信を使用することと、を行うようにさらに構成されることができる。さまざまな実施形態において、基準は、ＢＳＳにおけるすべての局がワイヤレス媒体を再利用することを許可されることができることを規定することができる。
【００２０】
[0020]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、装置は、複数のＢＳＳ識別子を有するアクセスポイントを含むことができ、プロセッサは、１つまたは複数の局が従うべき１つまたは複数の色をシグナリングすること、または、近隣のアクセスポイントと同じ色を選択すること、を行うようにさらに構成されることができる。
【００２１】
[0021]  別の態様は、ワイヤレス媒体の再利用を管理するための別の装置を提供する。装置は、基本サービスセット（ＢＳＳ）における１つまたは複数の局によるワイヤレス媒体の再利用を許可するかどうかを決定するための手段を含む。装置は、ワイヤレス媒体の再利用が基準を満たす局に対して許可されることができることのインジケーションを、再利用を許可することの決定時に、送信するための手段をさらに含む。装置は、１つまたは複数の再利用パラメータを決定するための手段をさらに含む。装置は、１つまたは複数の再利用パラメータを送信するための手段をさらに含む。
【００２２】
[0022]  さまざまな実施形態において、１つまたは複数の再利用パラメータは、局によって異なる複数の再利用パラメータを含むことができる。
【００２３】
[0023]  さまざまな実施形態において、装置は、次のコンディション；局が、第１のしきい値未満の受信信号強度インジケーション（ＲＳＳＩ）を有することができる送信デバイスから重複ＢＳＳ（ＯＢＳＳ）送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスおよび／または対象となる受信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択するための手段をさらに含むことができる。装置は、選択された再利用モードのインジケーションを送信するための手段をさらに含むことができる。
【００２４】
[0024]  さまざまな実施形態において、第１のしきい値と第２のしきい値とは同じであることができる。さまざまな実施形態において、動的しきい値は、対象となる受信機の、および／または送信デバイスの送信パワーの関数であることができる。さまざまな実施形態において、１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。
【００２５】
[0025]  さまざまな実施形態において、ワイヤレス媒体の再利用を許可するかどうかを決定することは、１つまたは複数の局のＢＳＳ間隔、および／または、アクセスポイントのＢＳＳ間隔に基づくことができる。さまざまな実施形態において、装置は、ワイヤレス媒体の再利用を許可することを決定することと、エンハンスド送信要求送信、および／または、エンハンスド送信可送信を使用することと、を行うための手段をさらに含むことができる。さまざまな実施形態において、基準は、ＢＳＳにおけるすべての局がワイヤレス媒体を再利用することを許可されることができることを規定することができる。
【００２６】
[0026]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、装置は、複数のＢＳＳ識別子を有するアクセスポイントを含むことができ、装置は、１つまたは複数の局が従うべき１つまたは複数の色をシグナリングすること、または、近隣のアクセスポイントと同じ色を選択すること、を行うための手段をさらに備える。
【００２７】
[0027]  別の態様は、非一時的なコンピュータ可読媒体を提供する。媒体は、実行されるときに、装置に、基本サービスセット（ＢＳＳ）における１つまたは複数の局によるワイヤレス媒体の再利用を許可するかどうかを決定させるコードを、実行されるときに、装置に、備えさせるコードを含む。媒体は、実行されるときに、装置に、ワイヤレス媒体の再利用が基準を満たす局に対して許可されることができることのインジケーションを、再利用を許可することの決定時に、送信させるコードをさらに含む。媒体は、実行されるときに、装置に、１つまたは複数の再利用パラメータを決定させるコードをさらに含む。媒体は、実行されるときに、装置に、１つまたは複数の再利用パラメータを送信させるコードをさらに含む。
【００２８】
[0028]  さまざまな実施形態において、１つまたは複数の再利用パラメータは、局によって異なる複数の再利用パラメータを含むことができる。
【００２９】
[0029]  さまざまな実施形態において、媒体は、実行されるときに、装置に、次のコンディション；局が、第１のしきい値未満の受信信号強度インジケーション（ＲＳＳＩ）を有することができる送信デバイスから重複ＢＳＳ（ＯＢＳＳ）送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスおよび／または対象となる受信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択させるコードを、さらに含むことができる。媒体は、実行されるときに、装置に、選択された再利用モードのインジケーションを送信させるコードをさらに含むことができる。
【００３０】
[0030]  さまざまな実施形態において、第１のしきい値と第２のしきい値とは同じであることができる。さまざまな実施形態において、動的しきい値は、対象となる受信機の、および／または送信デバイスの送信パワーの関数であることができる。さまざまな実施形態において、１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。
【００３１】
[0031]  さまざまな実施形態において、媒体は、実行されるときに、装置に、１つまたは複数の局のＢＳＳ間隔、および／または、アクセスポイントのＢＳＳ間隔に基づいて、ワイヤレス媒体の再利用を許可するかどうかを決定させるコードをさらに含むことができる。さまざまな実施形態において、媒体は、実行されるときに、装置に、ワイヤレス媒体の再利用を許可することを決定することと、エンハンスド送信要求送信、および／または、エンハンスド送信可送信を使用することと、を行わせるコードをさらに含むことができる。さまざまな実施形態において、基準は、ＢＳＳにおけるすべての局がワイヤレス媒体を再利用することを許可されることができることを規定することができる。
【００３２】
[0032]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、装置は、複数のＢＳＳ識別子を有するアクセスポイントを含むことができ、実行されるときに、装置に、１つまたは複数の局が従うべき１つまたは複数の色をシグナリングすること、または、近隣のアクセスポイントと同じ色を選択すること、を行わせるコードをさらに備える。
【００３３】
[0033]  別の態様は、ワイヤレス媒体を再利用する別の方法を提供する。方法は、重複基本サービスセット（ＯＢＳＳ）送信を、局において、検出することを含む。方法は、ワイヤレス媒体を再利用するかどうかを決定することをさらに含む。方法は、１つまたは複数の再利用パラメータを決定することをさらに含む。方法は、１つまたは複数の再利用パラメータおよびワイヤレス媒体を再利用するかどうかを決定することに基づいてメッセージを選択的に送信することをさらに含む。
【００３４】
[0034]  さまざまな実施形態において、方法は、次のコンディション；局が、第１のしきい値未満の受信信号強度インジケーション（ＲＳＳＩ）を有することができる送信デバイスからＯＢＳＳ送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択することをさらに含むことができる。方法は、選択された再利用モードを適用することをさらに含む。
【００３５】
[0035]  さまざまな実施形態において、第１のしきい値と第２のしきい値とは同じであることができる。さまざまな実施形態において、１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。さまざまな実施形態において、ワイヤレス媒体を再利用するかどうかを決定することは、アクセスポイントのＢＳＳ間隔、および／または、局のＢＳＳ間隔に基づくことができる。さまざまな実施形態において、方法は、ワイヤレス媒体を再利用することを決定することと、エンハンスド送信要求送信、および／または、エンハンスド送信可送信を使用することと、をさらに含むことができる。
【００３６】
[0036]  さまざまな実施形態において、方法は、ワイヤレス媒体の再利用が基準を満たす局に対して許可されることができることのインジケーションを受信することをさらに含むことができる。さまざまな実施形態において、基準は、ＢＳＳにおけるすべての局がワイヤレス媒体を再利用することを許可されることができることを規定することができる。さまざまな実施形態において、基準は、ＢＳＳにおける局のサブセットがワイヤレス媒体を再利用することを許可されることができることを規定することができる。
【００３７】
[0037]  さまざまな実施形態において、局のサブセットは、それらのＢＳＳ間隔に基づくことができる。さまざまな実施形態において、１つまたは複数のパラメータは、ＯＢＳＳ送信において規定されることができる。
【００３８】
[0038]  別の態様は、ワイヤレス媒体を再利用するように構成されている別の装置を提供する。装置は、重複基本サービスセット（ＯＢＳＳ）送信を検出するように構成されたプロセッサを含む。プロセッサは、ワイヤレス媒体を再利用するかどうかを決定するようにさらに構成されている。プロセッサは、１つまたは複数の再利用パラメータを決定するようにさらに構成されている。装置は、１つまたは複数の再利用パラメータおよびワイヤレス媒体を再利用するかどうかを決定することに基づいてメッセージを選択的に送信するように構成された送信機をさらに含む。
【００３９】
[0039]  さまざまな実施形態において、１つまたは複数の再利用パラメータは、局によって異なる複数の再利用パラメータを含むことができる。
【００４０】
[0040]  さまざまな実施形態において、プロセッサは、次のコンディション；局が、第１のしきい値未満の受信信号強度インジケーション（ＲＳＳＩ）を有することができる送信デバイスからＯＢＳＳ送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択するようにさらに構成されることができる。プロセッサは、選択された再利用モードを適用するようにさらに構成されることができる。
【００４１】
[0041]  さまざまな実施形態において、第１のしきい値と第２のしきい値とは同じであることができる。さまざまな実施形態において、１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。さまざまな実施形態において、プロセッサは、アクセスポイントのＢＳＳ間隔、および／または、局のＢＳＳ間隔に基づいて、ワイヤレス媒体を再利用するかどうかを決定するように構成されることができる。
【００４２】
[0042]  さまざまな実施形態において、プロセッサは、ワイヤレス媒体を再利用することを決定することと、エンハンスド送信要求送信、および／または、エンハンスド送信可送信を使用することと、を行うようにさらに構成されることができる。さまざまな実施形態において、装置は、ワイヤレス媒体の再利用が基準を満たす局に対して許可されることができることのインジケーションを受信するように構成された受信機をさらに含むことができる。さまざまな実施形態において、基準は、ＢＳＳにおけるすべての局がワイヤレス媒体を再利用することを許可されることができることを規定することができる。
【００４３】
[0043]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、１つまたは複数のパラメータは、ＯＢＳＳ送信において規定されることができる。
【００４４】
[0044]  別の態様は、ワイヤレス媒体を再利用するための別の装置を提供する。装置は、重複基本サービスセット（ＯＢＳＳ）送信を検出するための手段を含む。装置は、ワイヤレス媒体を再利用するかどうかを決定するための手段を含む。装置は、１つまたは複数の再利用パラメータを決定するための手段を含む。装置は、１つまたは複数の再利用パラメータおよびワイヤレス媒体を再利用するかどうかを決定することに基づいてメッセージを選択的に送信するための手段を含む。
【００４５】
[0045]  さまざまな実施形態において、１つまたは複数の再利用パラメータは、局によって異なる複数の再利用パラメータを含むことができる。
【００４６】
[0046]  さまざまな実施形態において、装置は、次のコンディション；局が、第１のしきい値未満の受信信号強度インジケーション（ＲＳＳＩ）を有することができる送信デバイスからＯＢＳＳ送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択するための手段をさらに含むことができる。装置は、選択された再利用モードを適用するための手段をさらに含むことができる。
【００４７】
[0047]  さまざまな実施形態において、第１のしきい値と第２のしきい値とは同じであることができる。さまざまな実施形態において、１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。さまざまな実施形態において、ワイヤレス媒体を再利用するかどうかを決定することは、アクセスポイントのＢＳＳ間隔、および／または、局のＢＳＳ間隔に基づくことができる。
【００４８】
[0048]  さまざまな実施形態において、装置は、ワイヤレス媒体を再利用することと、エンハンスド送信要求送信、および／または、エンハンスド送信可送信を使用することと、を決定するための手段をさらに含むことができる。さまざまな実施形態において、装置は、ワイヤレス媒体の再利用が基準を満たす局に対して許可されることができることのインジケーションを受信することをさらに含むことができる。さまざまな実施形態において、基準は、ＢＳＳにおけるすべての局がワイヤレス媒体を再利用することを許可されることができることを規定することができる。
【００４９】
[0049]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、１つまたは複数のパラメータは、ＯＢＳＳ送信において規定されることができる。
【００５０】
[0050]  別の態様は、別の非一時的なコンピュータ可読媒体を提供する。媒体は、実行されるときに、装置に、重複基本サービスセット（ＯＢＳＳ）送信を検出させるコードを含む。媒体は、実行されるときに、装置に、ワイヤレス媒体を再利用するかどうかを決定させるコードをさらに含む。媒体は、実行されるときに、装置に、１つまたは複数の再利用パラメータを決定させるコードをさらに含む。媒体は、実行されるときに、装置に、１つまたは複数の再利用パラメータおよびワイヤレス媒体を再利用するかどうかを決定することに基づいてメッセージを選択的に送信させるコードをさらに含む。
【００５１】
[0051]  さまざまな実施形態において、１つまたは複数の再利用パラメータは、局によって異なる複数の再利用パラメータを含むことができる。
【００５２】
[0052]  さまざまな実施形態において、媒体は、実行されるときに、装置に、次のコンディション；局が、第１のしきい値未満の受信信号強度インジケーション（ＲＳＳＩ）を有することができる送信デバイスからＯＢＳＳ送信を検出する場合に、ワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択させるコードを、さらに含むことができる。媒体は、実行されるときに、装置に、選択された再利用モードを適用させるコードをさらに含む。
【００５３】
[0053]  さまざまな実施形態において、第１のしきい値と第２のしきい値とは同じであることができる。さまざまな実施形態において、１つまたは複数の再利用パラメータは、送信パワー、エネルギー検出（ＥＤ）レベル、送信機受信信号強度インジケーション（ＲＳＳＩ）しきい値、受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。さまざまな実施形態において、ワイヤレス媒体を再利用するかどうかを決定することは、アクセスポイントのＢＳＳ間隔、および／または、局のＢＳＳ間隔に基づくことができる。
【００５４】
[0054]  さまざまな実施形態において、媒体は、実行されるときに、装置に、ワイヤレス媒体を再利用することを決定することと、エンハンスド送信要求送信、および／または、エンハンスド送信可送信を使用することと、を行わせるコードをさらに含むことができる。さまざまな実施形態において、媒体は、実行されるときに、装置に、ワイヤレス媒体の再利用が基準を満たす局に対して許可されることができることのインジケーションを受信させるコードをさらに含むことができる。さまざまな実施形態において、基準は、ＢＳＳにおけるすべての局がワイヤレス媒体を再利用することを許可されることができることを規定することができる。
【００５５】
[0055]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、１つまたは複数のパラメータは、ＯＢＳＳ送信において規定されることができる。
【図面の簡単な説明】
【００５６】
【図１】[0056]  図１は、本開示の態様が用いられることができるワイヤレス通信システムの例を例示する。
【図２】[0057]  図２は、一実施形態にしたがって、図１のワイヤレス通信システム内で用いられることができるワイヤレスデバイスにおいて利用されることができるさまざまなコンポーネントを例示する。
【図３】[0058]  図３は、一実施形態にしたがって、各基本サービスセットにおける２つのアクセスポイントおよび関連したデバイスの例としての図である。
【図４】[0059]  図４は、図１のワイヤレス通信システム内で用いられることができるワイヤレス媒体を再利用することの例示的な方法に関わるフローチャートを示す。
【図５】[0060]  図５は、図１のワイヤレス通信システム内で用いられることができるワイヤレス媒体を再利用することの例示的な方法に関わるフローチャートを示す。
【発明を実施するための形態】
【００５７】
[0061]  新規なシステム、装置、および方法のさまざまな態様が、添付の図面を参照して以下により十分に説明される。しかしながら、本教示開示は、多くの異なる形態で具現化されることができ、本開示全体を通して提示される任意の特定の構造または機能に限定されるものとして解釈されるべきではない。むしろ、これらの態様は、本開示を徹底的かつ完全なものとし、本開示の範囲を当業者に十分に搬送するように、提供される。本書での教示に基づいて、本開示の範囲が、本発明のその他任意の態様と組み合わされてインプリメントされようと、あるいは独立してインプリメントされようと、本書に開示される新規なシステム、装置、および方法の任意の態様をカバーするように意図されていることが、理解される。例えば、本書に説明される任意の数の態様を使用して、装置がインプリメントされることができ、または方法が実施されることができる。加えて、本発明の範囲は、本書に説明される本発明のさまざまな態様に加えて、またはそれ以外の、他の構造、機能、または構造と機能を使用して実施されるこのような装置または方法をカバーすることが意図される。本書に開示される開示の任意の態様は、特許請求の範囲の１つまたは複数の要素によって具現化されることができることが、理解されるべきである。
【００５８】
[0062]  特定の態様が本書に説明されるが、これらの態様の多くの変形および置換が、本開示の範囲内に含まれる。好ましい態様のいくつかの恩恵および利点が記述されるが、本開示の範囲は、特定の恩恵、使用法、または目的に限定されるように意図されたものではない。むしろ、本開示の態様は、異なるワイヤレス技術、システム構成、ネットワーク、および伝送プロトコルに幅広く適用可能であるように意図されており、そのうちのいくつかは、図面および好ましい態様の下記の説明において例として例示される。詳細な説明および図面は単に、限定ではなく本開示の例示であり、本開示の範囲は、添付された特許請求の範囲およびそれらの同等物によって定義されている。
【００５９】
[0063]  無線ネットワーク技術は、無線ローカルエリアネットワーク（ＷＬＡＮ）のさまざまなタイプを含むことができる。ＷＬＡＮは、広く使用されるネットワーキングプロトコルを用いて、近くのデバイスを合わせて相互接続するために使用されることができる。ここで説明されるさまざまな態様は、ＷｉＦｉ、またはより一般的には、無線プロトコルのＩＥＥＥ ８０２．１１ファミリの任意のメンバのような、任意の通信規格に適用されることができる。
【００６０】
[0064]  いくつかの態様において、ワイヤレス信号は、直交周波数分割多重化（ＯＦＤＭ）、直接シーケンススペクトル拡散（ＤＳＳＳ：direct-sequence spread spectrum）通信、ＯＦＤＭおよびＤＳＳＳ通信の組み合わせ、または他のスキーム、例えば、他入力多出力（ＭＩＭＯ）を使用して、高効率８０２．１１プロトコルにしたがって送信されることができる。
【００６１】
[0065]  いくつかのインプリメンテーションにおいて、ＷＬＡＮは、ワイヤレスネットワークにアクセスするさまざまなデバイスを含む。例えば、アクセスポイント（「ＡＰ」）と（局、または「ＳＴＡ」とも呼ばれる）クライアントとの２つのタイプのデバイスが存在することができる。一般に、ＡＰは、ＷＬＡＮのためのハブまたは基地局としての役割をし、ＳＴＡは、ＷＬＡＮのユーザとしての役割をする。例えば、ＳＴＡは、ラップトップコンピュータ、パーソナルデジタルアシスタント(ＰＤＡ)、モバイル電話機などであることができる。いくつかの態様では、ＳＴＡは、インターネットへのまたは他のワイドエリアネットワーク（ＷＡＮ）への一般な接続性を取得するためにワイヤレスリンクに準拠したＷｉ-Ｆｉ(例えば、８０２．１１ａｘのようなＩＥＥＥ８０２．１１プロトコル)を介してＡＰに接続する。いくつかのインプリメンテーションでは、ＳＴＡはまた、ＡＰとして使用されることができる。
【００６２】
[0066]  本書で説明される技術は、直交周波数分割多元接続（ＯＦＤＭＡ）のような、直交多重化スキームに基づく通信システムを含む、さまざまなブロードバンドワイヤレス通信システムのために使用されることができる。ＯＦＤＭＡシステムは、システム帯域幅全体を複数の直交サブキャリアに分割する変調技術である、直交周波数分割多重化（ＯＦＤＭ）を利用する。これらサブキャリアは、トーン、ビン、などとも呼ばれることができる。
【００６３】
[0067]  本書における教示は、さまざまな有線または無線の装置（例えば、ノード）に組み込まれる（例えば、それらの中にインプリメントされる、またはそれらによって実施される）ことができる。いくつかの態様では、本書における教示にしたがってインプリメントされた無線ノードは、アクセスポイントまたはアクセス端末を備えることができる。
【００６４】
[0068]  アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、これらとしてインプリメントされるか、これらとして周知であることができる。
【００６５】
[0069]  局（「ＳＴＡ」）はまた、ユーザ端末、アクセス端末（「ＡＴ」）、加入者局、加入者ユニット、モバイル局、遠隔局、遠隔端末、ユーザエージェント、ユーザデバイス、ユーザ機器、または他の何らかの用語を備え得るか、それらとしてインプリメントされるか、それらとして周知であることができる。いくつかのインプリメンテーションにおいて、アクセス端末は、セルラ電話、コードレス電話、セッション開始プロトコル（「ＳＩＰ」）電話、ワイヤレスローカルループ（「ＷＬＬ」）局、パーソナルデータアシスタント（「ＰＤＡ」）、ワイヤレス接続能力を有するハンドヘルドデバイス、またはワイヤレスモデムに接続された何らかの他の適した処理デバイスを備えることができる。したがって、本書で教示される１つまたは複数の態様は、電話機（例えば、セルラ電話またはスマートフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽またはビデオのデバイス、または衛星ラジオ）、ゲームデバイスまたはシステム、グローバルポジショニングシステムデバイス、あるいはワイヤレス媒体を介して通信するように構成される任意の他の適切なデバイスに組み込まれることができる。
【００６６】
[0070]  図１は、本開示の態様が用いられることができるワイヤレス通信システム１００の例を例示する。ワイヤレス通信システム１００は、例えば、８０２．１１ａｘ規格のような、ＩＥＥＥ８０２．１１のワイヤレス規格に準拠して動作することができる。ワイヤレス通信システム１００は、ＡＰ１０４を含むことができ、それは、（本書では「ＳＴＡ１０６」または「複数のＳＴＡ１０６」と呼ばれる）ＳＴＡ１０６Ａ乃至１０６Ｄと通信する。
【００６７】
[0071]  多様な処理および方法が、ＡＰ１０４とＳＴＡ１０６との間のワイヤレス通信システム１００における送信のために使用されることができる。例えば、いくつかの態様では、信号は、ＯＦＤＭＡ技術にしたがって、ＡＰ１０４とＳＴＡ１０６との間で送信および受信されることができる。これらの態様にしたがって、ワイヤレス通信システム１００は、ＯＦＤＭＡシステムと呼ばれることができる。
【００６８】
[0072]  ＡＰ１０４からＳＴＡ１０６の１つまたは複数ヘの送信を容易にする通信リンクは、ダウンリンク（ＤＬ）１０８と呼ばれることができ、ＳＴＡ１０６の１つまたは複数からＡＰ１０４への送信を容易にする通信リンクは、アップリンク(ＵＬ）１１０と呼ばれることができる。代替として、ダウンリンク１０８は、順方向リンク（forward link）または順方向チャネルと呼ばれることができ、アップリンク１１０は、逆方向リンク（reverse link）または逆方向チャネルと呼ばれることができる。
【００６９】
[0073]  ＡＰ１０４は、基本サービスエリア(ＢＳＡ)１０２においてワイヤレス通信カバレッジを提供することができる。ＡＰ１０４は、通信のためにＡＰ１０４を使用する関連するＳＴＡ１０６と併せて、基本サービスセット（ＢＳＳ）と呼ばれることができる。関連するＳＴＡ１０６は、ＡＰ１０４とのアソシエーションプロシージャを実施した１つまたは複数の関連する局（例えば、ＳＴＡ１０６Ａ）に言及し得る。ワイヤレス通信システム１００は、中央ＡＰ１０４を有していない場合があり、代替としてＳＴＡ１０６間（between/among）のピアツーピアネットワークとして機能し得ることが留意されるべきである。したがって、本書に説明されたＡＰ１０４の機能は、さらに、または代替として、ＳＴＡ１０６の１つまたは複数によって実施されることができる。
【００７０】
[0074]  図２は、一実施形態にしたがって、図１のワイヤレス通信システム１００内で用いられることができるワイヤレスデバイス２０２において利用されることができるさまざまなコンポーネントを例示する。ワイヤレスデバイス２０２は、本書に説明されるさまざまな方法をインプリメントするように構成されることができるデバイスの例である。いくつかの態様では、ワイヤレスデバイス２０２は、ＡＰ１０４、またはＳＴＡ１０６のうちの１つを備えることができる。
【００７１】
[0075]  例示されるように、ワイヤレスデバイス２０２は、ワイヤレスデバイス２０２の動作を制御するように構成され得るプロセッサ２０４を含むことができる。プロセッサ２０４はまた、中央処理ユニット（ＣＰＵ）と呼ばれることができる。例示されるように、ワイヤレスデバイス２０２はまた、メモリ２０６を含むことができ、それは、読出し専用メモリ（ＲＯＭ）およびランダムアクセスメモリ（ＲＡＭ）の一方または両方を含むことができる。いくつかの態様では、メモリ２０６は、プロセッサ２０４によって利用され得る命令またはデータを記憶または提供する。１つの態様では、メモリ２０６の一部はまた、不揮発性ランダムアクセスメモリ（ＮＶＲＡＭ）を含むことができる。プロセッサ２０４は、メモリ２０６内に記憶されたプログラム命令に基づいて、論理および演算動作を実施するように構成されることができる。さまざまな実施形態において、メモリ２０６における命令は、本書に説明された方法をインプリメントするための実行ファイル（例えば、ソフトウェア）であることができる。
【００７２】
[0076]  さまざまな態様では、プロセッサ２０４は、１つまたは複数のプロセッサでインプリメントされる処理システムを備えるか、それのコンポーネントであることができる。１つまたは複数プロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、離散ハードウェアコンポーネント、専用ハードウェア有限ステートマシン、または演算または情報の他の操作を実施することができる任意の他の適切なエンティティの、任意の組み合わせでインプリメントされることができる。
【００７３】
[0077]  処理システムはまた、ソフトウェアを記憶するための機械可読媒体を含むことができる。ソフトウェアは、ソフトウェア、ファームウェア、ミドルウェア、マイクロコード、ハードウェア記述言語、または、その他と呼ばれるかにかかわらず、ソフトウェアは、命令の任意のタイプを意味するように広く解釈されるべきである。命令は、コードを、（例えば、ソースコードフォーマット、２進コードフォーマット、実行可能コードフォーマット、コードのまたは任意の他の適切なフォーマットで）含むことができる。さまざまな実施形態において、命令は、１つまたは複数のプロセッサによって実行されるとき、処理システムに、本書に説明されたさまざまな機能を実施させる。
【００７４】
[0078]  ワイヤレスデバイス２０２はまた、ハウジング２０８を含むことができ、それは、ワイヤレスデバイス２０２とリモート位置との間のデータの送信および受信を可能にするための送信機２１０および受信機２１２を含むことができる。いくかの態様では、送信機２１０および受信機２１２は、トランシーバ２１４に組み合わされることができる。さまざまな態様では、アンテナ２１６は、ハウジング２０８に取り付けられ、トランシーバ２１４に電気的に結合されることができる。ワイヤレスデバイス２０２はまた、複数の送信機、複数の受信機、複数のトランシーバ、および／または複数のアンテナを含むことができ（図示せず）、それらは、例えば、ＭＩＭＯ通信中に利用されることができる。
【００７５】
[0079]  例示されるように、ワイヤレスデバイス２０２はまた、トランシーバ２１４によって受信される信号のレベルを検出および定量化するために使用されることができる信号検出器２１８を含むことができる。いくつかの態様では、信号検出器２１８は、総エネルギー、シンボルあたりのサブキャリアごとのエネルギー、電力スペクトル密度、および他の信号のような被受信信号を検出することができる。例示されるように、ワイヤレスデバイス２０２はまた、信号を処理するときに使用するために、デジタル信号プロセッサ（ＤＳＰ）２２０を含むことができる。いくつかの態様では、ＤＳＰ２２０は、送信のためのデータユニットを生成するように構成されることができる。いくつかの態様では、生成されたデータユニットは、物理レイヤデータユニット（ＰＰＤＵ）を備えることができ、それはまた、「パケット」、「メッセージ」、または「フレーム」と呼ばれ得る。
【００７６】
[0080]  例示されるように、ワイヤレスデバイス２０２はさらに、ユーザインタフェース２２２を備えることができる。いくつかの態様では、ユーザインタフェース２２２は、キーパッド、マイクロフォン、スピーカ、またはディスプレイを備えることができる。さまざまな実施形態にしたがえば、ユーザインタフェース２２２は、ワイヤレスデバイス２０２のユーザに情報を搬送する、またはユーザからインプットを受信する任意のエレメントまたはコンポーネントを含むことができる。
【００７７】
[0081]  例示されるように、ワイヤレスデバイス２０２のさまざまなコンポーネントは、システムバス２２６によって結合されることができる。システムバス２２６は、例えば、データバスと、並びにパワーバス、制御信号バス、またはデータバスに加えてステータス信号バスを含むことができる。さまざまな態様では、ワイヤレスデバイス２０２のコンポーネントは、いくつかの他のメカニズムを使用して互いに結合される、またはインプットを承認あるいは提供することができる。
【００７８】
[0082]  複数の別個のコンポーネントが図２に例示されているが、コンポーネントのうちの１つまたは複数が、組み合され得るか、または通例インプリメントされることができる。例えば、プロセッサ２０４は、プロセッサ２０４に関して上述された機能性をインプリメントするだけでなく、信号検出器２１８またはＤＳＰ２２０に関して上述された機能性をインプリメントするためにも使用されることができる。さらに、図２に図示されたコンポーネントの各々は、複数の別個のエレメントを使用してインプリメントされることができる。
【００７９】
[0083]  上述されたように、ワイヤレスデバイス２０２は、ＡＰ１０４またはＳＴＡ１０６を備えることができ、データを送信および／または受信するために使用されることができる。いくつかの態様では、ＡＰ１０４とＳＴＡ１０６との間で交換されるデータユニットは、データフレーム、制御フレーム、および／または管理フレームを含むことができる。データフレームは、ＡＰ１０４またはＳＴＡ１０６から他のＡＰ１０４またはＳＴＡ１０６にデータを送信するために使用されることができる。制御フレームは、さまざまな動作を実施すること、または、データを確実に搬送すること、（例えば、データの受信を承認すること、ＡＰのポーリング、エリアクリアリング動作、チャネル取得、キャリア検知メンテナンス機能など）を行うためにデータフレームとともに使用されることができる。いくつかの態様では、管理フレームは、さまざまな監督機能のために（例えばワイヤレスネットワークからの逸脱、およびそれの結合のために）使用されることができる。
【００８０】
重複基本サービスセット間のワイヤレスリソースの再利用のためのコンディション
[0084]  ワイヤレスリソース再利用のためのさまざまなメカニズムがここで説明される。いくつかの実施形態において、送信に関わるデータを有するワイヤレスデバイス（例えば、図１のＳＴＡ１０６ＡまたはＡＰ１０４）は、媒体が送信のためにフリーであるかどうかを決定するためにワイヤレス媒体をモニタすることができる。ワイヤレスデバイスが競合する送信（competing transmission）を検出する場合、ワイヤレスデバイスは、本書に記載の１つまたは複数のコンディションのもとで、（検出されたパケット送信に対して遅延無くそれ自体の送信を続行することによって、）ワイヤレス媒体を依然として再利用することができる。ワイヤレス媒体の再利用のさまざまな実施形態は、Attyによる、２０１４年９月１５日に出願された米国特許出願第１４／４８７，０１９、整理番号１３５０２０、およびAttyによる、２０１４年４月２９日に出願された米国出願番号１４／２６５，１１２、整理番号１３２６８２、に記載されており、それら各々の全体が参照によって本書に組み込まれる。
【００８１】
[0085]  例えば、ワイヤレスデバイスは、検出された送信が、送信のメディアアクセス制御（ＭＡＣ）ヘッダにおけるＭＡＣアドレスに基づいて、または、基本サービスセット（ＢＳＳ）カラーインジケーション（例えば、ＳＩＧ Ａのような信号フィールドにおける）に基づいて、ＢＳＳ間送信であるか、ＢＳＳ内送信であるかを決定することができる。検出された送信がＢＳＳ間フレームであり、本書に論じられるさまざまな他のコンディションが満たされる場合、ワイヤレスデバイスは、最小の受信感度レベルより大きい重複ＢＳＳ（ＯＢＳＳ）パケット検出（ＰＤ）レベルを適用することができる。したがって、適切なコンディションが満たされる場合、ワイヤレスデバイスは、クリアチャネルアセスメント（ＣＣＡ）の間により高いしきい値を適用することによって、ＯＢＳＳパケットに従うことをやめることができる。ＣＣＡしきい値を変えるＡＰのさまざまな実施形態は、Attyによる、２０１４年７月８日に出願された米国特許出願第１４／３２６，３１２、整理番号１３３８０４、に記載されており、それの全体が参照によって本書に組み込まれる。
【００８２】
[0086]  本書に論じられるように、ＡＰ１０４（図１）は、ＯＢＳＳ ＰＤレベルが適用されるコンディション（「ＯＢＳＳコンディション」と本書では呼ばれる）、およびＯＢＳＳ ＰＤレベル自体を、ＳＴＡ１０６Ａ乃至１０６Ｄに提供することができる。例えば、ＡＰ１０４は、メッセージ、例えば、ビーコン、ブロードキャスト情報エレメント（ＩＥ）、またはその他任意のワイヤレス通信においてＯＢＳＳコンディションを提供することができる。このようなコンディションのさまざまな例は、図３に関して論じられる。
【００８３】
ディフェラル（Deferral）パラメータの調整
[0087]  図３は、一実施形態にしたがった、各それぞれのＢＳＳにおいて関連するデバイスおよび２つのアクセスポイントの例示的な例である。上述のように、ＢＳＳは、ＡＰ１０４と、併せて通信のためにＡＰ１０４を使用する関連するＳＴＡ１０６とに、言及し得る。例えば、例示されるように、ＡＰ３０４Ａは、ＢＳＳ３０２Ａを有し得、それは、関連するＳＴＡ３０６Ａおよび３０６Ｃを備える。いくつかの態様では、「ＢＳＳ」というフレーズは、ＡＰ３０４Ａがサービスするエリアに言及し得る。本書では円形で図示されているが、ＢＳＳ３０２Ａのこのカバレッジは例に過ぎない。
【００８４】
[0088]  ＡＰ３０４Ａは、任意の数の異なるＳＴＡに関連付けられ得る。例えば、ＡＰ３０４Ａは、多かれ少なかれ２つの図示されたＳＴＡ３０６Ａ、３０６Ｃに関連付けられ得る。ＡＰ３０４に対するいくらかの地理的な近接性の範囲内に、他のＡＰ、例えばＡＰ３０４Ｂが存在し得る。ＡＰ３０４Ｂは、ＢＳＳ、例えばＢＳＳ３０２Ｂを有し得、それは、１つまたは複数のＳＴＡ、例えばＳＴＡ３０６Ｂを備え得る。ＡＰ３０４ＢおよびＡＰ３０４ＡのＢＳＳが重複しているようには図示されていないが、いくつかの態様では、一方のＡＰ３０４ＡからのＢＳＳ３０２Ａは、もう一方のＡＰ３０４ＢからのＢＳＳ３０２Ｂと重複し得、または一方のＡＰ３０４ＡのＢＳＡ（図示されていない）は、もう一方のＡＰ３０４ＢのＢＳＡと重複し得る。密集した配置（dense deployment）では、さまざまなＡＰからの多数の重複ＢＳＳ（本書では複数のワイヤレス通信ネットワークとも呼ばれる）が存在し得る。ＢＳＳの各々は、同じプロトコル、例えば特定のＩＥＥＥ８０２．１１プロトコルに基づき得、または、異なるプロトコルに基づき得る。同様に、これらのＢＳＳは、同じチャネルを使用する（例えば、重複する、または部分的に重複する）ように、スペクトルの同じ部分を使用し得、または、近接する、または異なるチャネルを使用し得る。いくつかの態様では、チャネルは、帯域幅を備え得、帯域幅は、（例えば、５ＭＨｚ、１０ＭＨｚ、２０ＭＨｚ、４０ＭＨｚ、８０ＭＨｚなどのような、）２つ以上のサブバンドを備えていると見なされ得る。これらの態様にしたがって、ＯＢＳＳは、重複する、または部分的に重複する帯域幅、またはチャネルのサブバンド、またはチャネルの近接する、または異なるサブバンドを使用していると見なされ得る。
【００８５】
[0089]  いくつかの態様では、いつワイヤレス媒体上の他のトラヒックに従うか、いつワイヤレス媒体上で送信するか、ワイヤレス媒体にアクセスすることを試みる前にどのくらい待つか、を決定するためのディフェラルルール（deferral rules）が、ＢＳＳ内のデバイスによって使用され得る。いくつかの態様では、ＢＳＳは、そのＢＳＳ中のデバイスがワイヤレス媒体にアクセスするためのより容易な時間を有する場合、例えば、ＢＳＳのためのディフェラルルールが緩和された、またはあまり厳しくなくなったとき、より良好な性能を獲得し得る。
【００８６】
[0090]  ディフェラルルールを緩和することは、多数の形式をとり得る。例えば、いくつかの態様では、クリアチャネルアセスメントしきい値が高められ得る。このような態様にしたがって、デバイス、例えばＳＴＡ１０６またはＡＰ１０４がワイヤレス媒体において送信する前に、そのデバイスは、クリアチャネルアセスメント（ＣＣＡ）を実施し得る。このＣＣＡは、例えば、特定の時間または時間フレームの間にチャネルの特定の部分に存在するエネルギーの平均量を決定することを含み得る。デバイスは、ワイヤレス媒体が使用中であるか否かを決定するために、エネルギーの検出された量としきい値とを比較し得る。例えば、特定の時間におけるスペクトルにおいて多量のエネルギーが存在する場合、デバイスは、スペクトルのこの部分が使用中であることを決定し得、そのときにスペクトルのこの部分に送信しないことを選択し得る。したがって、このしきい値は、ワイヤレス媒体により多量のエネルギーが存在する場合であってもデバイスが送信することを可能にするために、または、より少量のエネルギーが存在する場合にデバイスが送信することを禁止するために、変更され得る。したがって、このしきい値を調整することは、調整の方向に依存して、ＢＳＳのためのディフェラルルールを「緩和（loosening）」または「強化（tightening）」するとも呼ばれ得、ワイヤレス媒体において存在するトラヒックに従うように、または従わないようにデバイスをし得る。
【００８７】
[0091]  別の態様では、ＢＳＳのためのディフェラルルールは、デバイスが、それらが検出するパケットの上で送信することを、それらパケットが重複基本サービスセット（ＯＢＳＳ）からのものであるときに、許可するために緩和され得る。例えば、ＳＴＡ３０６ＡのようなＢＳＳ３０２Ａにおけるデバイスの観点から、ＢＳＳ３０２Ｂは、ＯＢＳＳであると考えられ得る。具体的には、例えば、ＳＴＡ３０６Ａは、ＳＴＡ３０６ＢまたはＡＰ３０４Ｂに十分に近いため、２つのデバイスの各々は、（例えば、ＢＳＳ３０２ＡおよびＢＳＳ３０２Ｂが同じチャネルおよび技術の１つまたは複数を使用している場合に）他からの通信を受信することが可能であり得る。しかしながら、ＢＳＳは、一態様にしたがえば、ＳＴＡ３０６Ａが送信を検出し、この送信がＳＴＡ３０６Ｂ、ＡＰ３０４ＢまたはＯＢＳＳにおける別のデバイス（例えば、ＢＳＳ３０２Ｂ）からのものであることを検出する場合に、ＳＴＡ３０６Ａは、検出されたエネルギーが特定のしきい値を下回る限り、ワイヤレス媒体を依然として使用し得るように、それのルールを調整し得る。したがって、ＳＴＡ３０６Ａが他の媒体の使用に関わらずより頻繁に媒体を使用することを可能にするように上述の調整を行うことはまた、ディフェラルルールを緩和すること、とも呼ばれ得る。いくつかの態様では、ディフェラルルールの緩和は、ＢＳＳ全体のために行われ得る。例えば、ＡＰ３０４Ａは、ＢＳＳ３０２Ａ内で各デバイスにメッセージを送信し得、ＢＳＳ３０２Ａのためのディフェラルルールをそれらデバイスに知らせる。いくつかの態様では、ＡＰ３０４Ａは、さらにまたは代替として、管理フレームを使用して、またはビーコンフレームにおいてメッセージをブロードキャストし得る。いくつかの態様では、ディフェラルルールの緩和は、例えば、それらデバイスがしきい値を上回るＢＳＳ間隔を有する場合、特定のデバイスのみに適用され得る。
【００８８】
[0092]  いくつかの態様では、ＢＳＳは、例えば、近くのＯＢＳＳが少ない場合に、あまり厳格でないディフェラルルールでより良い性能を獲得し得る。例えば、ディフェラルルールは、同じチャネルで「隣接した（contiguous）」ＢＳＳが無い場合に、緩和され得る。例えば、ＢＳＳが同じチャネル上で近隣の（例えば、特定の地理的間隔内の）ＯＢＳＳから十分に離れている場合、ディフェラルルールは緩和され得る。同様に、ＢＳＳがより厳格なディフェラルルールでより良い性能を獲得し得るシチュエーションがあり得る。例えば、多数のＢＳＳが重複し、同じチャネルを使用し、多量のトラフィックを搬送する場合、パケットを受信不可能に変え得るパケット衝突を減じるためにより厳格な（例えば、「強化された（tightened）」）ディフェラルルールを使用することが有益であり得る。例えば、ディフェラルルールを強化することは、１つまたは複数のＣＣＡしきい値（本書では、クリアチャネルアセスメントしきい値とも呼ばれる）を減じることを含み得る。いくつかの態様では、ＡＰは、近隣のＢＳＳが同じ、または重複する、チャネルを使用していることを決定するとき、隣接するものの大部分にアラインされないプライマリチャネルに切り替えるように構成され得る。この切り替えプロセスは、ディフェラルルールと見なされない場合があるが、それは、ディフェラルルールを多かれ少なかれ厳格にすることに代わって、またはそれに加えて、有効であり得る。したがって、ＢＳＳがそれのディフェラルルールの厳格性を調整することを可能にすること、またはＯＢＳＳの近接性、またはＯＢＳＳがどの程度アクティブであるか、または非アクティブであるか、に基づいてチャネルを切り替えること、を行うための方法および装置が、説明される。いくつかの態様では、１つまたは複数の近隣のＯＢＳＳが存在し得、それは、本書では複数の近隣のワイヤレス通信ネットワークとも呼ばれ得る。
【００８９】
３つの再利用モード
[0093]  さまざまな実施形態において、ＡＰ３０４Ａは、ＳＴＡ３０６ＡがＯＢＳＳ送信に従うかどうかを決定することができる３つの例としての再利用モードのうちの少なくとも１つを示すように構成されることができる。第１のモードでは、ＳＴＡ３０６Ｂからの送信のプリアンブルにおける受信信号強度インジケーション（ＲＳＳＩ）がしきい値（Ｔｈｒｅｓｈ＿ＯＢＳＳ）より大きいかこれと同等であるとき、ＳＴＡ３０６Ａは、ＳＴＡ３０６Ｂからの送信に従うように構成されることができる。したがって、第１の再利用モードでは、ＳＴＡ３０６Ａは、ＳＴＡ３０６Ｂからの送信のＲＳＳＩがＴｈｒｅｓｈ＿ＯＢＳＳ未満であるとき、ワイヤレス媒体を再利用するように構成されることができる。
【００９０】
[0094]  第２の再利用モードでは、第１の再利用モードのように、ＳＴＡ３０６Ｂからの送信のプリアンブルにおける受信信号強度インジケーション（ＲＳＳＩ）がＴｈｒｅｓｈ＿ＯＢＳＳより大きいまたはこれと同等であるとき、ＳＴＡ３０６Ａは、ＳＴＡ３０６Ｂからの送信に従うように構成されることができる。さらに、ＳＴＡ３０６Ａは、送信の対象となる受信機に関連付けられたＲＳＳＩに基づいて、ＳＴＡ３０６Ｂからの送信に従うように構成されることができる。例えば、ＳＴＡ３０６Ａは、他のデバイスからの送信をモニタすることができ、各デバイスから観測されたＲＳＳＩの記録を保持することができる。かくして、ＳＴＡ３０６ＢがＡＰ３０４Ｂにパケットを送信する実施形態において、ＳＴＡ３０６Ａはさらに、ＡＰ３０４Ｂの事前に観測されたＲＳＳＩがしきい値（Ｔｈｒｅｓｈ＿ＯＢＳＳ＿ＲＸ）より大きいまたはこれと同等である場合に送信に従うかどうかをさらに決定することができる。いくつかの実施形態において、Ｔｈｒｅｓｈ＿ＯＢＳＳは、Ｔｈｒｅｓｈ＿ＯＢＳＳ＿ＲＸと同じであるか、これと同等であることができる。ＳＴＡ３０６Ａはまた、ＡＰ３０４Ｂが送信可（ＣＴＳ：clear to send）を送る場合に、パケットの対象となる受信機、この場合ではＡＰ３０４Ｂ、のＲＳＳＩを得ることができる。第２の再利用モードにしたがったディフェラルのさまざまな実施形態は、Attyによる、２０１４年５月２日に出願された米国特許出願第１４／２６８，８２９、整理番号１４１２８９Ｕ１、Attyによる、２０１４年５月２日に出願された米国出願番号１４／２６８，８５５、整理番号１４１２８９Ｕ２、およびAttyによる、２０１４年５月２日に出願された米国出願番号１４／２６８，８３０、整理番号１４１２８９Ｕ３に記載されており、それら各々の全体が参照によって本書に組み込まれる（本書ではまとめて「参照１４１２８９」と呼ばれる)。参照１４１２８９は、パケット送信の間にワイヤレス媒体を再利用するかどうかを決定するとき、対象となるパケットの受信機からのＲＳＳＩを考察することを述べているが、本書に提示される第２の再利用モードのさまざまな実施形態は、パケットの長さのみに関わる再利用に、制限されない。
【００９１】
[0095]  第３の再利用モードでは、さまざまな実施形態において、ＳＴＡ３０６Ａは、第１の再利用モードおよび／または第２の再利用モードのコンディションに基づいてＳＴＡ３０６Ｂからの送信に従うように構成されることができる。さらに、または代替として、ＳＴＡ３０６Ａは、プリアンブル内の追加の要件、エンハンスド送信要求（ｅＲＴＳ）、またはエンハンスド送信可（ｅＣＴＳ）に基づいてワイヤレス媒体を選択的に延期または再利用するように構成されることができる。言い換えると、Ｔｈｒｅｓｈ＿ＯＢＳＳは、１つまたは複数のプリアンブルパラメータ（Ｔｈｒｅｓｈ＿ＯＢＳＳ（ｐｐ））の関数であることができる。例えば、変調符号化スキーム（ＭＣＳ）がプリアンブルにおいて規定される実施形態において、Ｔｈｒｅｓｈ＿ＯＢＳＳは、ＭＣＳの関数であることができる。さまざまな実施形態において、関数は、ＡＰ３０４Ａによってプリセット、または規定されることができる。いくつかの実施形態において、プリアンブルは、どれほどの干渉が耐えられるかを提示することができ、Ｔｈｒｅｓｈ＿ＯＢＳＳは、その情報から計算されることができる。いくつかの実施形態において、送信機は、干渉要件を満たすためにそれのパワーを下げ得る。第３の再利用モードにしたがったディフェラルのさまざまな実施形態は、参照１４１２８９において説明される。ｅＲＴＳおよびｅＣＴＳのさまざまな実施形態は、いくつかの実施形態においてＯＢＳＳ送信要求（ＲＴＳ）およびＯＢＳＳ ＣＴＳとも呼ばれることができ、Attyによる、２０１４年９月１８日に出願された米国出願番号６２／０５２，４０２、整理番号１４６８５７Ｐ１、およびAttyによる、２０１５年５月６日に出願された米国出願番号６２／１５７，８９８、整理番号１５３４０８Ｐ１、に記載されており、それら各々の全体が参照によって本書に組み込まれる。
【００９２】
再利用実施可能性の制御−すべてのＳＴＡ
[0096]  一実施形態において、ＡＰ３０４Ａは、ＢＳＳ３０２ＡにおいてすべてのＳＴＡのためのワイヤレス媒体再利用を許可することができる。かくして、ＡＰ３０４Ａは、すべてのＳＴＡに再利用をシグナリングすることができる。いくつかの実施形態において、本書に述べられる３つの再利用モードのうちの１つのみが、利用可能である。２つ以上の再利用モードが利用可能である実施形態において、ＡＰ３０４Ａは、どの再利用モードをＳＴＡ３０６Ａが適用すべきであるかシグナリングすることができる。ＡＰ３０４Ａは、選択された再利用モードに対してすべての関連するしきい値をさらにシグナリングすることができる。例えば、ＡＰ３０４Ａは、エネルギー検出（ＥＤ）レベル、ＯＢＳＳ＿Ｔｈｒｅｓｈ、ＯＢＳＳ＿Ｔｈｒｅｓｈ＿ＲＸ（ＯＢＳＳ＿Ｔｈｒｅｓｈとは異なる場合）、ＯＢＳＳ＿Ｔｈｒｅｓｈ（ｐｐ）（ＯＢＳＳパケットに関わるしきい値がプリアンブル、ｅＲＴＳ、および／またはｅＣＴＳなどにおけるパラメータの関数である場合）、１つまたは複数のパラメータ（例えばＭＣＳ）の関数としてノードにおいて耐えられる干渉の量のインジケーションなど、をシグナリングすることができる。
【００９３】
[0097]  一実施形態において、ＡＰは、「ＢＳＳ間隔」に基づいてワイヤレス媒体の再利用を選択的に許可または却下することができる。ＢＳＳ間隔は、メトリック、例えば比率であることができ、それは、ＢＳＳと同じチャネル上で動作する近隣のＢＳＳまでの間隔と比較して、ＢＳＳにおけるＳＴＡの相対間隔についての情報を搬送する。例えば、この間隔は、ＡＰ３０４ＡからＡＰ３０４Ｂまでの間隔と比較して、ＳＴＡ３０６ＡおよびＳＴＡ３０６Ｃの相対間隔についての情報を搬送する比率であり得る。
【００９４】
[0098]  ＯＢＳＳの近接性を決定するために、（本書では「ＢＳＳ間隔」とも呼ばれる）２つのＢＳＳ間の「間隔」を計算するいくつかの可能な方法があり得る。これを行う最も簡潔な方法は、例えば、ＡＰ３０４Ａおよび３０４Ｂのような、２つのＡＰ間の間隔を単に測定することであり得る。しかしながら、この測定は、不十分であり得る。図３に示されるように、ＡＰ３０４Ａおよび３０４Ｂは、互いからいくらか離間し得、しかしながら、それらのＢＳＳは、ＳＴＡ３０６ＡとＳＴＡ３０６Ｂとが互いにどれほど近いかによって、依然として隣接し得る。ＳＴＡ３０６ＡおよびＳＴＡ３０６Ｂの近接性により、これらのデバイス（例えば、ＳＴＡ３０６Ａ）のうちの１つへの、またはそれからの送信が、他のデバイス（例えば、ＳＴＡ３０６Ｂ）への、またはそれからの送信によって妨害され得る。いくつかの態様では、この近接性は、ＢＳＳ間隔が２つのＡＰ間の間隔を決定することによってのみ測定される場合、見落とされ得る。したがって、ＢＳＳ間隔のより繊細且つ精緻な測定を有することが望ましくあり得る。したがって、より精緻なＢＳＳ間隔測定の方法および装置は、一方のＢＳＳにおけるＳＴＡがもう一方のＢＳＳにおけるＳＴＡからどれほど離れているかについての追加の情報を提供し得る。
【００９５】
[0099]  例えば、ＢＳＳ間隔は、複数の方法で決定され得る。説明されたこれらのオプションの各々は、ある程度「うまく組み合わされ（mixed and matched）」得ることが理解される。例えば、特定の測定は、関連するＡＰから最も離れているＳＴＡに固有の値を使用し得るか、平均値を使用し得る。いくつかの態様では、説明されるオプションの各々は、間隔測定の代わりに受信信号強度インジケーション（ＲＳＳＩ）測定を使用し得る。これらの態様にしたがって、説明された公式は、ＲＳＳＩが間隔の代わりに使用される場合に調整される必要があり得る。本書に説明される測定オプションのいずれも、適切な方法でメトリックを変更することによって互換可能に使用され得る。
【００９６】
[00100]  ＢＳＳ間隔を計算するための第１のオプションは、ＢＳＳにおけるＡＰから同じチャネルにおいて動作する最も近いＯＢＳＳ ＡＰまでの間隔を、ＢＳＳにおけるＡＰからＢＳＳにおける最も遠いＳＴＡまでの間隔で割り算することである。例えば、図３において、ＡＰ３０４Ａおよび３０４Ｂは、互いから１００メートル離れており、ＢＳＳ３０２ＡのＳＴＡ３０６Ａは、ＡＰ３０４Ａから４０メートル離れている、ＡＰ３０４Ａから最も遠いＳＴＡであり得る。したがって、一態様では、ＢＳＳ間隔測定は、１００メートル割る４０メートル、すなわち２．５、であり得る。
【００９７】
[00101]  ＢＳＳ間隔を計算するための別のオプションは、ＳＴＡからそれ固有のＢＳＳのＡＰまでの間隔で割って、そのＳＴＡから最も近い近隣のＯＢＳＳ ＡＰまでの間隔の、ＢＳＳにおけるＳＴＡごとの、平均値（または期待値）をとることであり得る。例えば、図３において、ＳＴＡ３０６Ａは、ＡＰ３０４Ｂから６０メートル離れており、それは、ＳＴＡ３０６Ａに最も近い近隣のＯＢＳＳ ＡＰであり得る。ＳＴＡ３０６Ａはまた、ＡＰ３０４Ａから４０メートル離れており、それは、ＳＴＡ３０６Ａが関連づけられるＡＰである。したがって、ＢＳＳ間隔は、ＳＴＡ３０６Ａに関して計算されるとき、６０メートル割る４０メートル、すなわち１．５、であり得る。この比率は、ＢＳＳ３０２ＡにおけるＡＰごとに計算され得、そしてその比率は、ＢＳＳ３０２Ａに関わるＢＳＳ間隔を計算するために平均値化され得る。
【００９８】
[00102]  ＢＳＳ間隔を計算するための別のオプションは、局「ｘ」とそれの最も近い近隣のＯＢＳＳ ＡＰとの間に間隔をとることであり得、それは、局「ｘ」がＡＰから最も遠いＢＳＳにおけるＳＴＡである場合に、局「ｘ」からそれが関連付けられるＢＳＳ ＡＰまでの間隔によって割り算される。例えば、図３では、ＳＴＡ３０６Ａは、ＡＰ３０４Ａから最も遠いＢＳＳ３０２Ａにおける局であり得る。前述のように、ＳＴＡ３０６Ａは、最も近いＯＢＳＳ ＡＰ、それはＡＰ３０４Ｂであり得る、から６０メートル離れており、ＳＴＡ３０６Ａは、ＢＳＳにおけるＡＰ、それはＡＰ３０４Ａであり得る、から４０メートル離れ得る。かくして、この比率は、６０メートルを４０メートルで割って計算され得、それは、１．５である。いくつかの態様では、この公式は、ＢＳＳにおけるいくつかのＳＴＡに対してこの比率を計算することによって変更され得る。例えば、これは、最も遠い１、２、４、５、またはいくつかの他の数のＳＴＡに基づいて、計算され得る。この比率はまた、ＳＴＡごとに計算され得、ＢＳＳにおける最も低い比率、または、最も低い２、３、４、５の平均値またはＢＳＳの何らかの他の数が、使用され得る。
【００９９】
[00103]  ＢＳＳ間隔を計算することの別の方法は、特定のＯＢＳＳまでのＢＳＳ間隔に、少なくとも部分的に、基づき得る。最後の最終的なＢＳＳ間隔を得るために、これらのＯＢＳＳ間隔が平均値化されることができ、または、最小の値をとることができる。別の例として、ＢＳＳ３０２ＡのＢＳＳ間隔は、ＡＰ３０４Ａと、同じチャネルにおけるそれの最も近い近隣のＯＢＳＳ ＡＰ、例えばＡＰ３０４Ｂ、との間の間隔に基づき得る。例えば、ＢＳＳ間隔は、ＡＰからそれの最も近い近隣の同じチャネルＯＢＳＳ ＡＰまでの間隔に基づいて、ＡＰと、ＡＰのＢＳＳにおけるすべてのＳＴＡとの間の平均の間隔で割り算して計算される。例えば、ＡＰ３０４Ａは、ＡＰ３０４Ｂから１００メートル離れ得る。ＳＴＡ３０６Ａおよび３０６Ｃは、それぞれ、ＡＰ３０４Ａから４０メートルおよび２０メートル離れている。これらの２つのＳＴＡがＢＳＳ３０２ＡにおけるＳＴＡのみである場合、ＢＳＳ３０２ＡにおけるＳＴＡとＡＰ３０４Ａとの間の平均の間隔は、３０メートルであり得る。かくして、このＢＳＳ間隔は、１００メートル割る３０メートル、すなわち３．３３、となることが決定され得る。いくつかの態様では、このＢＳＳ間隔計算の分母は、ＡＰとすべてのＳＴＡとの間の平均の間隔ではなく、例えば、ＢＳＳにおける最も離れたＳＴＡまでの間隔、ＢＳＳにおけるＳＴＡとＡＰとの間の平均の間隔、または別のメトリックであり得る。いくつかの態様では、複数の異なるＢＳＳ間隔は、複数の異なる近隣のアクセスポイントごとに、この方法で計算され得る。上述されたように、「最終的な（final）」ＢＳＳ間隔は、ＯＢＳＳごとにこれらのＢＳＳ間隔を平均値化することによって決定され得、または、最小のＢＳＳ間隔の値が使用され得る。
【０１００】
[00104]  いくつかの態様では、ＡＰとＳＴＡとの間の間隔、または、ＡＰと別のＡＰとの間の間隔は、ＲＳＳＩ値を使用して、決定または近似され得る。ＲＳＳＩは、被受信無線信号にあるパワーの測定であり、いくつかの態様では、２つのワイヤレスデバイスの間の間隔が、このメトリックに基づいて推測され得る。例えば、受信信号強度は、ＲＳＳＩに基づいてデバイスまでの間隔を推定するために、（認識され得る）デバイスの送信気信号強度と比較され得る。この比較は、例えば、ＡＰ３０４Ａによって実施され得る。さらに、ＲＳＳＩ値自体は、上述の計算がＲＳＳＩ値の使用に対応するように修正されるという条件で、その計算において直接使用され得る。例えば、間隔を計算するための第１のオプションは、ＢＳＳにおける最も遠いＳＴＡへの（ＢＳＳにおけるＡＰからの）ＲＳＳＩを、同じチャネルにおいて最も近いＯＢＳＳ ＡＰへの（ＢＳＳにおけるＡＰからの）ＲＳＳＩで割り算するようにして、ＢＳＳ間隔を計算することによってＲＳＳＩ値を使用するように修正され得る。間隔ではなくＲＳＳＩ値を使用する場合、上述の間隔ベースの比率から、分母と分子とを入れ替えることが、有効であり得る。このことは、２つのワイヤレスデバイス間の間隔に逆相関（inversely-related）し得る（例えば、ＳＴＡが関連するＡＰから遠いほどに、受信機強度（receiver strength）が低くなる）。したがって、間隔ではなくＲＳＳＩ値を使用する場合、分子と分母とを入れ替えることが有益であり得る。いくつかの態様では、ＲＳＳＩの線形値（linear value）が想定され得る。
【０１０１】
[00105]  ＢＳＳ間隔を決定することのさまざまな他の実施形態は、Attyによる、２０１５年９月１１日に出願された米国特許出願第１４／８５２、３９５、整理番号ＱＴＥＬＥ．１６０Ａ／１４７１４１Ｕ１、に記載されており、それの全体が参照によって本書に組み込まれる。いくつかの実施形態において、ＡＰ３０４Ａまたは３０４ＢのＢＳＳ間隔が使用されることができる。他の実施形態において、ＳＴＡのＢＳＳ間隔は、（例えば、それらがＡＰ３０４ＡのＢＳＳ間隔を報告する場合に）使用されることができる。
【０１０２】
[00106]  いくつかの実施形態において、ＡＰ３０４Ａは、ワイヤレス媒体を再利用するように構成されることができる。このような実施形態において、ＡＰ３０４Ａは、高効率（ＨＥ）ＳＴＡ（例えば、８０２．１１ａｘに準拠するＳＴＡ）のためにｅＲＴＳ／ｅＣＴＳを使用することができる。ｅＲＴＳ／ｅＣＴＳ送信が、他のデバイスに、それらの送信の間にワイヤレス媒体を再利用することを可能にさせる実施形態において、デバイスは、ＲＳＳＩがしきい値を下回る場合にワイヤレス媒体を再利用するように構成されることができる。
【０１０３】
再利用実施可能性の制御−いくつかのＳＴＡ
[00107]  一実施形態において、ＡＰ３０４Ａは、ＢＳＳ３０２Ａにおいていくつかの(すべてではない)ＳＴＡのためのワイヤレス媒体再利用を許可することができる。かくして、ＡＰ３０４Ａは、ＳＴＡのサブセットに再利用の実施可能性をシグナリングすることができる。例えば、ＡＰ３０４Ａは、すべてのＳＴＡにＢＳＳ間隔しきい値をシグナリングすることができ、ＢＳＳ間隔しきい値未満のＢＳＳ間隔を有するすべてのＳＴＡは、ＯＢＳＳコンディションが満たされる場合、ＯＢＳＳ送信の間にワイヤレス媒体を再利用することができる。
【０１０４】
[00108]  一実施形態において、各ＳＴＡ３０６Ａおよび３０６Ｃは、それ固有のＢＳＳ間隔を計算することができる。２つ以上の再利用モードが利用可能である実施形態において、ＡＰ３０４Ａは、どの再利用モードをＳＴＡ３０６Ａが適用すべきであるかシグナリングすることができる。ＡＰ３０４Ａは、選択された再利用モードに対してすべての関連するしきい値をさらにシグナリングすることができる。例えば、ＡＰ３０４Ａは、エネルギー検出（ＥＤ）レベル、ＯＢＳＳ＿Ｔｈｒｅｓｈ、ＯＢＳＳ＿Ｔｈｒｅｓｈ＿ＲＸ（ＯＢＳＳ＿Ｔｈｒｅｓｈとは異なる場合）、ＯＢＳＳ＿Ｔｈｒｅｓｈ（ｐｐ）（ＯＢＳＳパケットに関わるしきい値がプリアンブル、ｅＲＴＳ、および／またはｅＣＴＳなどにおいてパラメータの関数である場合）、１つまたは複数のパラメータ（例えばＭＣＳ）の関数としてノードにおいて耐えられる干渉の量のインジケーションなど、をシグナリングすることができる。
【０１０５】
[00109]  いくつかの実施形態において、しきい値は、各受信するＳＴＡ  ＢＳＳ間隔の関数であることができる。別の実施形態において、しきい値は、例えば、動的感度制御（ＤＳＣ：Dynamic Sensitivity Control）を介して、固有のＡＰまでの各ＳＴＡ間隔の関数であることができる。したがって、各ＳＴＡは、ＡＰ３０４Ａインジケーションに基づいてそれ固有のしきい値を計算することができる。いくつかの実施形態において、ワイヤレス媒体を再利用しない送信は、レガシＲＴＳ／ＣＴＳを使用することができ、ワイヤレス媒体を再利用する送信は、ｅＲＴＳ／ｅＣＴＳを使用することができる。
【０１０６】
再利用実施可能性の制御−ＳＴＡが決定する
[00110]  さまざまな実施形態において、ＯＢＳＳ送信間におけるワイヤレス媒体再利用の実施可能性が、各ＳＴＡによって決定されることができる。例えば、ＡＰ３０４Ａは、しきい値をシグナリングすることをやめることができる。ＳＴＡは、前もってしきい値に気づくことができ、例えば、それらは、メモリに記憶されることができる。別の例として、しきい値は、ＯＢＳＳ送信自体において提供されることができる。例えば、ＳＴＡ３０６Ｂは、それの送信において最小の干渉レベルを提供することができる。ＳＴＡ３０６Ａは、提供された最小の干渉レベルに基づいて、ワイヤレス媒体を再利用するか否かを決定することができる。それはまた、干渉要件を満たすためにそれのパワーを変えることができる。
【０１０７】
例
[00111]  さまざまな実施形態において、上述の実施形態の組み合わせが用いられることができる。例えば、一実施形態において、ＡＰ３０４Ａは、それのＢＳＳ間隔に基づいて再利用が可能であるかどうかを決定することができ、各ＳＴＡは、送信における情報に基づいてＯＢＳＳ＿Ｔｈｒｅｓｈを計算することができる。別の例として、ＡＰ３０４Ａは、ＤＳＣを使用するように各ＳＴＡに命令することができ、各ＳＴＡは、ＡＰ３０４Ａまでのそれの間隔に基づいてＯＢＳＳ＿Ｔｈｒｅｓｈを計算することができる。他の実施形態において、本書に説明されるアプローチのさまざまな他の組み合わせが用いられることができる。
【０１０８】
[00112]  別の例としての実施形態において、ＡＰ３０４Ａは、最も近いＡＰ３０４Ｂが間隔Ｄより遠いことを決定することができる。ＡＰ３０４Ａは、ＳＴＡが間隔Ｄ２内の任意のＯＢＳＳ ＳＴＡに気づかない限り、それのＢＳＳ３０２ＡにおけるすべてのＳＴＡに対して再利用を許可することができる。ＡＰ３０４Ａは、再利用のためのコンディションを示すブロードキャストＩＥをＳＴＡ３０６Ａおよび３０６Ｃに送ることができ、それらが要件をパスする場合には、ＯＢＳＳ＿Ｔｈｒｅｓｈを送ることができる。したがって、間隔Ｄ２内のいかなるＯＢＳＳ ＳＴＡにも気づかない（do not see）ＳＴＡに関しては、それらは、ＡＰによって提供されるＯＢＳＳ＿Ｔｈｒｅｓｈに基づいてワイヤレス媒体を再利用することができる。
【０１０９】
[00113]  別の例としての実施形態において、ＡＰ３０４Ａは、近隣のＡＰ３０４Ｂが間隔Ｄより遠いことを決定することができる。ＡＰ３０４Ａは、最も遠いＳＴＡ３０６Ｃまでの間隔Ｄ１をブロードキャストすることができる。ＡＰ３０４Ａは、最も遠いＳＴＡ３０６Ｂまでの、近隣のＡＰ３０４Ｂのブロードキャストされた間隔をリスンすることができる。ＡＰ３０４Ａは、ＡＰ３０４Ｂの最も遠いＳＴＡ３０６ＢがＤ２未満であることに気づく場合、および、Ｄ１がＤ２未満である場合、ＡＰ３０４Ａは、それのＢＳＳ３０２Ａにおける再利用を許可することを決定することができる。したがって、ＡＰ３０４Ａは、ＳＴＡがワイヤレス媒体およびＯＢＳＳ＿Ｔｈｒｅｓｈを再利用することができることを示すＩＥを送ることができる。いくつかの実施形態において、ＡＰ３０４Ａおよび３０４Ｂは、再利用の合意（agreement）を決定するためにお互いにシグナリングすることができる。
【０１１０】
複数の基本サービスセット識別子（ＢＳＳＩＤ）を有するＡＰ／コロケートされたＡＰ
[00114]  さまざまな実施形態において、ＡＰ３０４は、複数のＢＳＳＩＤを有することができる。一実施形態において、ＡＰ３０４Ａは、どの色に従うべきかを、ＢＳＳ３０２Ａにシグナリングすることができる。例えば、ＡＰ３０４Ａは、特定の間隔および／またはＲＳＳＩ内のＡＰのすべての色を示すことができる。このようなディフェラルのさまざまな実施形態は、Attyによる、２０１５年６月１１日に出願された米国特許出願第６２／１７４,４４４、整理番号１５３９７２、に記載されており、それの全体が参照によって本書に組み込まれる。別の実施形態において、ＡＰ３０４Ａは、近くのＡＰ（例えばＡＰ３０４Ｂ）と同じ色を選択することができる。
【０１１１】
[00115]  いくつかの実施形態において、ＡＰ３０４Ａは、従うべきＯＢＳＳの色を提供することができる。従うべきすべてのＯＢＳＳの色は、管理フレームに含まれることができる。次に、ＳＴＡ３０６Ａがパケットを受信するとき、ＳＴＡ３０６Ａは、パケットの色を決定し、パケットの色がＢＳＳ３０２Ａの色に合うか、あるいは従うべきＯＢＳＳの色のうちの１つに合うかを決定する。パケットの色がそれらの色のうちの１つに合う場合、ＳＴＡ３０６Ａは、パケットをオブザーブする。そうでない場合は、ＳＴＡ３０６Ａは、パケットをドロップすることを選択することができる。
【０１１２】
[00116]  他の実施形態において、ＡＰ３０４Ａは、従うべき特定のＯＢＳＳ（例えば、ＢＳＳ３０２Ｂ）の同じ色としてＢＳＳ３０２Ａの色を割り当てることができる。ＡＰ３０４Ａは、ＢＳＳ３０２Ａの局がＢＳＳ３０２Ａの色のパケットをオブザーブするように構成されている場合、その１つまたは複数の局にいかなるインジケーションも送らないことを選択することができる。このように、ＢＳＳ３０２Ａの局は、同じ色を有する特定のＯＢＳＳとＢＳＳ３０２Ａからのパケットをオブザーブすることができる。さらに、ＡＰ３０４Ａは、従うべきＯＢＳＳとＢＳＳ３０２Ａに同じ色を割り当てるために、従うべきＯＢＳＳのアクセスポイントとさらにネゴシエートすることができる。同様に、ＡＰ３０４Ａは、ＢＳＳ３０２Ａの局がＢＳＳ３０２Ａの色を有するパケットをオブザーブするように構成されている場合、その１つまたは複数の局にいかなるインジケーションも送らないことを選択することができる。このように、ＢＳＳ３０２Ａの局は、従うべきＯＢＳＳとＢＳＳ３０２Ａからのパケットをオブザーブすることができる。
【０１１３】
方法をインプリメントする
[00117]  図４は、図１のワイヤレス通信システム１００内で用いられることができるワイヤレス媒体を再利用することの例示的な方法に関わるフローチャート４００を示す。この方法は、図２に示されているワイヤレスデバイス２０２のように、本書に説明されるデバイスによって全体的にまたは部分的にインプリメントされることができる。図示されている方法は、図１および３に関して上述されたワイヤレス通信システム１００を参照して本書に説明されるが、当業者は、図示されている方法が、本書に説明される別のデバイス、または任意の他の適切なデバイスによってインプリメントされることができることを、理解するだろう。図示されている方法は、さまざまな実施形態で、特定の順序に関して本書で説明されるが、本書のブロックは、異なる順序で実施される、または省略されることができ、および追加のブロックが加えられることができる。
【０１１４】
[00118]  まず、ブロック４１０において、ワイヤレスデバイスは、基本サービスセット（ＢＳＳ）における１つまたは複数の局によるワイヤレス媒体の再利用を許可するかどうかを決定する。例えば、ＡＰ３０４Ａは、それのＢＳＳ間隔に基づいて再利用が可能であるかどうかを決定することができる。１つの例では、ＳＴＡ３０６Ａは、ＳＴＡ３０６Ｂから受信されたパケットにおける情報に基づいてＯＢＳＳ＿Ｔｈｒｅｓｈを計算することができる。
【０１１５】
[00119]  別の例として、ＡＰ３０４Ａは、最も近いＡＰ（例えばＡＰ３０４Ｂ)が間隔Ｄより遠いことを決定することができる。ＡＰ３０４Ａは、ＳＴＡが間隔Ｄ２内のいかなるＯＢＳＳ ＳＴＡにも気づかない限り、それのＢＳＳ３０２ＡにおけるすべてのＳＴＡに再利用を許可することを決定することができる。ＡＰ３０４Ａは、再利用のための要件を示すブロードキャスト情報エレメントをＳＴＡ３０６Ａおよび３０６Ｃに送ることができ、それらが要件をパスする場合、ＯＢＳＳ＿Ｔｈｒｅｓｈを送ることができる。この例では、間隔Ｄ２内のいかなるＯＢＳＳ ＳＴＡ（例えばＳＴＡ３０６Ｂ）にも気づかないＳＴＡに関しては、それらは、ＡＰ３０４Ａによって提供されるようなＯＢＳＳ＿Ｔｈｒｅｓｈでワイヤレス媒体を再利用することができる。
【０１１６】
[00120]  別の例では、ＡＰ３０４Ａは、近隣のＡＰ（例えばＡＰ３０４Ｂ）が間隔Ｄより遠いことを決定することができる。ＡＰ３０４Ａは、最も遠いＳＴＡまでの間隔Ｄ１をブロードキャストすることができる。ＡＰ３０４Ａは、最も遠いＳＴＡまでの、近隣のＡＰのブロードキャストされた間隔をリスンすることができる。ＡＰ３０４Ａが、近隣のＡＰがＤ２未満の最も遠いＳＴＡを有することに気づく場合、および、Ｄ１がＤ２未満である場合、ＡＰ３０４Ａは、それのＢＳＳ３０２Ａにおける再利用を許可することができる。したがって、ＡＰ３０４Ａは、ＳＴＡ３０６Ｃおよび３０６Ａに、それらがワイヤレス媒体を再利用し、ＯＢＳＳ＿Ｔｈｒｅｓｈを規定することができることを伝える情報エレメントを送ることができる。いくつかの実施形態において、ＡＰ３０４Ａはまた、近隣のＡＰ３０４Ａとの合意に基づいて再利用を許可することができる。
【０１１７】
[00121]  次に、ブロック４２０において、デバイスは、ワイヤレス媒体の再利用が基準を満たす局に対して許可されることのインジケーションを、再利用を許可することの決定時に、送信する。例えば、ＡＰ３０４Ａは、それのＢＳＳ３０２Ａ内のいくつかのまたはすべての局にワイヤレス媒体の再利用を許可するビーコンまたはブロードキャストＩＥを送信することができる。
【０１１８】
[00122]  そして、ブロック４３０では、デバイスは、１つまたは複数の再利用パラメータを決定することができる。例えば、ＡＰ３０４Ａは、図３に関して上述された再利用コンディションのうちのいずれかを決定することができる。例えば、ＡＰ３０４Ａは、モード１、モード２、モード３（またはそれらの任意の組み合わせ）のルールが満たされる場合に、局がワイヤレス媒体を再利用することを可能にされることを決定することができる。
【０１１９】
[00123]  さまざまな実施形態において、複数の再利用パラメータは、局ごとに異なることができる。言い換えると、異なる再利用パラメータは、局ごとに異なる局に関して決定され、それに関連付けられ、および、それに通信されることができる。例として、ＡＰ３０４Ａは、ＳＴＡ３０４Ｂのための再利用パラメータの第１のセットを決定することができ、（ブロードキャストメッセージにおいて、または直接、）ＳＴＡ３０４Ｂに再利用パラメータの第１のセットを通信することができる。同様に、ＡＰ３０４Ａは、ＳＴＡ３０４Ａのための再利用パラメータの第２のセットを決定することができ、（ブロードキャストメッセージにおいて、または直接、）ＳＴＡ３０４Ａに再利用パラメータの第２のセットを通信することができる。いくつかの実施形態において、異なる再利用パラメータは、グループごとに異なるグループの局に関して決定され、それに関連付けられ、および、それに通信されることができる。例として、ＡＰ３０４Ａは、ＳＴＡ３０４ＡおよびＳＴＡ３０４Ｂを含む局の第１のグループのための再利用パラメータの第１のセットを決定することができ、（ブロードキャストメッセージにおいて、または直接、）ＳＴＡ３０４ＡおよびＳＴＡ３０４Ｂに再利用パラメータの第１のセットを通信することができる。同様に、ＡＰ３０４Ａは、（図示されていない１つまたは複数のＳＴＡを含む）局の第２のグループのための再利用パラメータの第２のセットを決定することができ、（ブロードキャストメッセージにおいて、または直接、）局の第２のグループに再利用パラメータの第２のセットを通信することができる。
【０１２０】
[00124]  そして、ブロック４４０において、デバイスは、１つまたは複数の再利用パラメータを送信することができる。例えば、ＡＰ３０４Ａは、それのＢＳＳ３０２Ａ内のいくつかのまたはすべての局に再利用パラメータを定義するビーコンまたはブロードキャストＩＥを送信することができる。さまざまな実施形態において、再利用パラメータは、再利用が許可されることのインジケーションとともに送信されることができる。他の実施形態において、再利用パラメータは、別個に送信されることができる。
【０１２１】
[00125]  いくつかの実施形態において、方法は、次のコンディション；局が、第１のしきい値未満の受信信号強度インジケーション（ＲＳＳＩ）を有することができる送信デバイスから重複ＢＳＳ（ＯＢＳＳ）送信を検出する場合にワイヤレス媒体を再利用することを許可されることができる、局が、ＯＢＳＳ送信の宛先デバイスが第２のしきい値未満のＲＳＳＩを有することができる場合に、ワイヤレス媒体を再利用することを許可されることができる、局が、送信デバイスおよび／または対象となる受信デバイスが１つまたは複数のプリアンブルパラメータの関数であることができる動的しきい値未満のＲＳＳＩを有することができる場合に、ワイヤレス媒体を再利用することを許可されることができる；のうちの１つまたは複数を、単独でまたは組み合わせて、備える再利用モードを選択することをさらに含むことができる。方法は、選択された再利用モードのインジケーションを送信することをさらに含むことができる。
【０１２２】
[00126]  さまざまな実施形態において、第１のしきい値と第２のしきい値とは同じであることができる。さまざまな実施形態において、動的しきい値は、対象となる受信機の、および／または送信デバイスの送信パワーの関数であることができる。さまざまな実施形態において、１つまたは複数の再利用パラメータは、送信パワー、エネルギー検出（ＥＤ）レベル、送信機受信信号強度インジケーション（ＲＳＳＩ）しきい値、対象となる受信機ＲＳＳＩしきい値、１つまたは複数のプリアンブルパラメータに基づくＲＳＳＩしきい値関数、および、１つまたは複数のパラメータの関数としてノードにおいて耐えられる干渉の量のインジケーション、のうちの１つまたは複数を含むことができる。
【０１２３】
[00127]  さまざまな実施形態において、ワイヤレス媒体の再利用を許可するかどうかを決定することは、１つまたは複数の局のＢＳＳ間隔、および／または、アクセスポイントのＢＳＳ間隔に基づくことができる。さまざまな実施形態において、方法は、ワイヤレス媒体の再利用を許可することを決定することと、エンハンスド送信要求送信、および／または、エンハンスド送信可送信を使用することと、をさらに含むことができる。さまざまな実施形態において、基準は、ＢＳＳにおけるすべての局がワイヤレス媒体を再利用することを許可されることができることを規定することができる。
【０１２４】
[00128]  さまざまな実施形態において、基準は、ＢＳＳにおける局のサブセットがワイヤレス媒体を再利用することを許可されることができることを規定することができる。さまざまな実施形態において、局のサブセットは、それらのＢＳＳ間隔に基づくことができる。さまざまな実施形態において、アクセスポイントは、複数のＢＳＳ識別子を有することができ、方法は、１つまたは複数の局が従うべき１つまたは複数の色をシグナリングすること、または、近隣のアクセスポイントと同じ色を選択すること、をさらに備える。
【０１２５】
[00129]  一実施形態において、図４に示されている方法は、決定回路および送信回路を含むことができるワイヤレスデバイスにおいてインプリメントされることができる。当業者は、ワイヤレスデバイスが、本書に説明される簡略化されたワイヤレスデバイスよりも多くのコンポーネントを有することができることを理解するであろう。本書に説明されるワイヤレスデバイスは、特許請求の範囲内のインプリメンテーションのいくつかの卓越した特徴を説明するために役立つこれらのコンポーネントのみを含む。
【０１２６】
[00130]  決定回路が、再利用が許可されるかどうかを決定し、および／または適用可能な再利用パラメータを決定するように構成されることができる。いくつかの実施形態において、決定回路は、図４のブロック４１０および４３０のうちの少なくとも１つを実施するように構成されることができる。決定回路は、プロセッサ２０４（図２）、メモリ２０６（図２）、およびＤＳＰ２２０（図２）のうちの１つまたは複数を含むことができる。いくつかのインプリメンテーションでは、決定するための手段は、決定回路を含むことができる。
【０１２７】
[00131]  送信回路が、再利用が許可されることのインジケーションおよび／または再利用パラメータを送信するように構成されることができる。いくつかの実施形態において、送信回路は、図４のブロック４２０または４４０のうちの少なくとも１つを実施するように構成されることができる。送信回路は、送信機２１０（図２）、アンテナ２１６（図２）、およびトランシーバ２１４（図２）のうちの１つまたは複数を含むことができる。いくつかのインプリメンテーションでは、送信するための手段は、送信回路を含むことができる。
【０１２８】
[00132]  さまざまな実施形態において、ワイヤレスデバイスは、選択回路を含むことができる。選択回路は、再利用モードを選択するように構成されることができる。選択回路は、プロセッサ２０４（図２）、メモリ２０６（図２）、およびＤＳＰ２２０（図２）のうちの１つまたは複数を含むことができる。いくつかのインプリメンテーションでは、選択するための手段は、選択回路を含むことができる。
【０１２９】
[00133]  図５は、図１のワイヤレス通信システム１００内で用いられることができるワイヤレス媒体を再利用することの例示的な方法に関わるフローチャート５００を示す。この方法は、図２に示されているワイヤレスデバイス２０２のように、本書に説明されるデバイスによって全体的にまたは部分的にインプリメントされることができる。図示されている方法は、図１および３に関して上述されたワイヤレス通信システム１００を参照して本書に説明されるが、当業者は、図示されている方法が、本書に説明される別のデバイス、または任意の他の適切なデバイスによってインプリメントされることができることを、理解するだろう。図示されている方法は、さまざまな実施形態で、特定の順序に関して本書で説明されるが、本書のブロックは、異なる順序で実施される、または省略されることができ、および追加のブロックが加えられることができる。
【０１３０】
[00134]  まず、ブロック５１０において、ワイヤレスデバイスは、重複基本サービスセット（ＯＢＳＳ）送信を検出することができる。例えば、ＳＴＡ３０６Ａは、ＳＴＡ３０６ＢからのＯＢＳＳ送信を検出することができる。
【０１３１】
[00135]  そして、ブロック５２０において、ワイヤレスデバイスは、ワイヤレス媒体を再利用するかどうかを決定することができる。例えば、ＳＴＡ３０６Ａは、ワイヤレス媒体の再利用が許可されることのインジケーションをＡＰ３０４Ａから受信することができる。別の実施形態において、ＳＴＡ３０６Ａは、例えば、ＳＴＡ３０６Ｂからの送信における情報および／またはＤＳＣに基づいて、ワイヤレス媒体の再利用が許可されることを一方的に決定することができる。
【０１３２】
[00136]  次に、ブロック５３０において、ワイヤレスデバイスは、１つまたは複数の再利用パラメータを決定することができる。例えば、ＳＴＡ３０６Ａは、ビーコンまたはブロードキャストＩＥを介してＡＰ３０４Ａから再利用パラメータを受信することができる。別の実施形態において、ＳＴＡ３０６Ａは、例えば、ＳＴＡ３０６Ｂからの送信における情報、および／またはメモリに記憶されるまたはハードコードされるパラメータに基づいて、再利用パラメータを一方的に決定することができる。
【０１３３】
[00137]  さまざまな実施形態において、複数の再利用パラメータは、局ごとに異なることができる。言い換えると、異なる再利用パラメータは、局ごとに異なる局に関して決定され、それに関連付けられ、および／または、それにおいて受信されることができる。一例として、ＳＴＡ３０６Ｃは、ビーコンまたはブロードキャストＩＥを介してＡＰ３０４Ａから再利用パラメータの第１のセットを受信することができる。同様に、ＳＴＡ３０６Ａは、ビーコンまたはブロードキャストＩＥを介してＡＰ３０４Ａから再利用パラメータの第２のセットを受信することができる。代替として、ＳＴＡ３０６Ａおよび３０６Ｃは、一方的にそれら固有の異なる再利用パラメータを各々決定することができる。いくつかの実施形態において、異なる再利用パラメータは、グループごとに異なるグループの局に関して決定され、それに関連付けられ、および、それにおいて受信されることができる。一例として、ＳＴＡ３０４ＡおよびＳＴＡ３０４を含む局の第１のグループは、ビーコンまたはブロードキャストＩＥを介してＡＰ３０４Ａから再利用パラメータの第１のセットを受信することができる。同様に、（図示されていない１つまたは複数のＳＴＡを含む）局の第２のグループは、ビーコンまたはブロードキャストＩＥを介してＡＰ３０４Ａから再利用パラメータの第２のセットを受信することができる。
【０１３４】
[00138]  その後、ブロック５４０において、ワイヤレスデバイスは、１つまたは複数の再利用パラメータおよびワイヤレス媒体を再利用するかどうかを決定することに基づいてメッセージを選択的に送信することができる。例えば、ＳＴＡ３０６Ａは、ＳＴＡ３０６Ｂからの送信と再利用パラメータ（例えば、ＯＢＳＳ＿Ｔｈｒｅｓｈ）を比較することができる。１つの例では、ＳＴＡ３０６Ａは、ＳＴＡ３０６Ｂからの送信のＲＳＳＩがＯＢＳＳ＿Ｔｈｒｅｓｈに規定されるＲＳＳＩ未満である場合に、メッセージを送信することができる。
【０１３５】
[00139]  一実施形態において、図５に示される方法は、検出回路、決定回路、および送信回路を含むことができるワイヤレスデバイスにおいてインプリメントされることができる。当業者は、ワイヤレスデバイスが、本書に説明される簡略化されたワイヤレスデバイスよりも多くのコンポーネントを有することができることを理解するであろう。本書に説明されるワイヤレスデバイスは、特許請求の範囲内のインプリメンテーションのいくつかの卓越した特徴を説明するために役立つこれらのコンポーネントのみを含む。
【０１３６】
[00140]  検出回路は、ＯＢＳＳ送信を検出するように構成されることができる。いくつかの実施形態において、検出回路は、少なくとも図５のブロック５１０を実施するように構成されることができる。検出回路は、受信機２１２（図２）、ＤＳＰ２２０、プロセッサ２０４、メモリ２０６、信号検出器２１８、アンテナ２１６（図２）、およびトランシーバ２１４（図２）のうちの１つまたは複数を含むことができる。いくつかのインプリメンテーションでは、検出するための手段は、検出回路を含むことができる。
【０１３７】
[00141]  決定回路が、再利用が許可されるかどうかを決定するように、および／または適用可能な再利用パラメータを決定するように構成されることができる。いくつかの実施形態において、決定回路は、図５のブロック５２０および５３０のうちの少なくとも１つを実施するように構成されることができる。決定回路は、プロセッサ２０４（図２）、メモリ２０６（図２）、およびＤＳＰ２２０（図２）のうちの１つまたは複数を含むことができる。いくつかのインプリメンテーションでは、決定するための手段は、決定回路を含むことができる。
【０１３８】
[00142]  送信回路は、ワイヤレス媒体を再利用するメッセージを選択的に送信するように構成されることができる。いくつかの実施形態において、送信回路は、図５のブロック５２０および５４０のうちの少なくとも１つを実施するように構成されることができる。送信回路は、送信機２１０（図２）、アンテナ２１６（図２）、およびトランシーバ２１４（図２）のうちの１つまたは複数を含むことができる。いくつかのインプリメンテーションでは、送信するための手段は、送信回路を含むことができる。
【０１３９】
[00143]  さまざまな実施形態において、ワイヤレスデバイスは、選択回路を含むことができる。選択回路は、再利用モードを選択するように構成されることができる。選択回路は、プロセッサ２０４（図２）、メモリ２０６（図２）、およびＤＳＰ２２０（図２）のうちの１つまたは複数を含むことができる。いくつかのインプリメンテーションでは、選択するための手段は、選択回路を含むことができる。
【０１４０】
[00144]  さまざまな実施形態において、ワイヤレスデバイスは、受信回路を含むことができる。受信回路は、例えばＡＰからのＩＥまたはビーコンとして、再利用インジケーション、および／または再利用パラメータを受信するように構成されることができる。受信回路は、受信機２１２（図２）、ＤＳＰ２２０、アンテナ２１６（図２）、およびトランシーバ２１４（図２）のうちの１つまたは複数を含むことができる。いくつかのインプリメンテーションでは、受信するための手段は、受信回路を含むことができる。
【０１４１】
[00145]  当業者であれば、情報および信号が、さまざまな異なる技術および技法のいずれかを使用して表されることができることを理解するであろう。例えば、上記の説明全体を通して参照されることができる、データ、命令、コマンド、情報、信号、ビット、シンボル、およびチップは、電圧、電流、電磁波、磁界または磁気粒子、光場または光粒子、あるいはこれらの任意の組み合わせによって表わされることができる。
【０１４２】
[00146]  本開示に説明されるインプリメンテーションへのさまざまな修正が、当業者には容易に明らかであり、本書で定義される包括的な原理が、本開示の精神または範囲から逸脱することなく他のインプリメンテーションに適用されることができる。かくして、本開示は、本書に示されている実施形態に制限されることは意図されておらず、しかし、本書に開示される新規の特徴、原理および請求項に一致する最も広い範囲が与えられるべきである。「例としての（exemplary）」という言葉は、「例、事例、または実例としての役割を果たす」ことを意味するためにのみ、ここで使用されている。「例としての」ものとして、本書に説明された任意のインプリメンテーションは、他のインプリメンテーションに対して好ましいまたは有利なものとして必ずしも解釈されるべきではない。
【０１４３】
[00147]  別個のインプリメンテーションのコンテキストで本明細書において説明されるある特定の特徴はまた、単一の実施において組み合わせてインプリメントされることができる。反対に、単一のインプリメンテーションのコンテキストにおいて説明されるさまざまな特徴は、また、複数のインプリメンテーションで別々に、または任意の適したサブコンビネーションでインプリメントされることができる。さらに、特徴は、ある組み合わせで作用するように上述され、またそのようなものとしてさらに最初に特許請求もされることができるが、特許請求される組み合わせからの１つまたは複数の特徴は、いくつかのケースにおいて、その組み合わせから削除されることができ、特許請求される組み合わせは、サブコンビネーション、またはサブコンビネーションの変形に向けられることができる。
【０１４４】
[00148]  本書で使用される場合、アイテムのリスト「のうちの少なくとも１つ」というフレーズは、単一の構成要素（members）を含む、それらのアイテムの任意の組み合わせに言及する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることを意図されている。本書に使用されているように、「および（and）」あるいは「または（or）」という用語は、互換可能であり、（リストにおける項目の１からすべての範囲で）「および／または（and/or）」として解釈され得る。
【０１４５】
[00149]  上述された方法のさまざまな動作は、さまざまな（１つまたは複数の）ハードウェアおよび／またはソフトウェアコンポーネント、回路、および／または（１つまたは複数の）モジュールのような、動作を実施することが可能である任意の適した手段によって実施されることができる。一般的に、図に示された任意の動作は、動作を実施することが可能である対応する機能的手段によって実施されることができる。
【０１４６】
[00150]  本開示に関連して説明された、多様な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネント、または、本書で説明された機能を実施するために設計された、それらの任意の組み合わせを用いてインプリメントまたは実施されることができる。汎用プロセッサは、マイクロプロセッサであることができるが、代わりに、プロセッサは、任意の市販のプロセッサ、コントローラ、マイクロコントローラ、またはステートマシンであることができる。プロセッサはまた、例えば、ＤＳＰとマイクロプロセッサの組み合わせ、複数のマイクロプロセッサ、ＤＳＰコアと併せた１つまたは複数のマイクロプロセッサ、または任意の他のそのような構成である、コンピューティングデバイスの組み合わせとしてインプリメントされることができる。
【０１４７】
[00151]  １つまたは複数の態様では、説明された機能は、ハードウェア、ソフトウェア、ファームウェア、またはそれらの任意の組み合わせでインプリメントされることができる。ソフトウェアでインプリメントされる場合、機能は、コンピュータ可読媒体における１つまたは複数の命令またはコードとして、記憶または送信されることができる。コンピュータ可読媒体は、１つの場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体であることができる。限定ではなく例の目的で、このようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、およびコンピュータによってアクセスされることができるその他任意の媒体を備えることができる。また、任意の接続が、コンピュータ可読媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここでディスク（disk）は通常、磁気的にデータを再生し、ディスク（disc）は、レーザーを用いて光学的にデータを再生する。したがって、いくつかの態様では、コンピュータ可読媒体は、非一時的なコンピュータ可読媒体（例えば、有形媒体）を備えることができる。加えて、いくつかの態様では、コンピュータ可読媒体は、一時的なコンピュータ可読媒体（例えば、信号）を備えることができる。上記の組合せもまた、コンピュータ可読媒体の範囲内に含まれるべきである。
【０１４８】
[00152]  本書に開示される方法は、説明された方法を達成するための１つまたは複数のステップまたは動作（action）を備える。方法のステップおよび／または動作は、特許請求の範囲から逸脱することなく、互いに置き換えられることができる。言い換えれば、ステップまたは動作の特定の順序が特定されていない限り、特定のステップおよび／または動作の順序および／または使用は、特許請求の範囲から逸脱することなく修正されることができる。
【０１４９】
[00153]  さらに、本書で説明された方法および技術を実施するためのモジュールおよび／または他の適切な手段は、ダウンロードされることができる、および／または、そうでなければ、適用可能な場合にユーザ端末および／または基地局によって取得されることができることが理解されるべきである。例えば、このようなデバイスは、本書で説明された方法を実施するための手段の転送を容易にするためにサーバに結合されることができる。代替として、本書で説明されたさまざまな方法は、デバイスに記憶手段を結合または提供する際にユーザ端末および／または基地局がさまざまな方法を取得することができるように、記憶手段（例えば、ＲＡＭ、ＲＯＭ、コンパクトディスク（ＣＤ）またはフロッピーディスクのような物理記憶媒体など）を介して提供されることができる。さらに、本書で説明された方法および技術をデバイスに提供するための任意の他の適切な技術が、利用されることができる。
【０１５０】
[00154]  前述の内容が本開示の態様を対象としている一方、本開示の他のおよびさらなる態様は、その基本的な範囲から逸脱することなしに考案されることができ、その範囲は、次の特許請求の範囲によって決定される。
【図１】
2018527840.tif 000003
【図２】
2018527840.tif 000004
【図３】
2018527840.tif 000005
【図４】
2018527840.tif 000006
【図５】
2018527840.tif 000007
【国際調査報告】
2018527840.tif 000008
2018527840.tif 000009